(57)【特許請求の範囲】
【請求項１】
画像提供装置と携帯端末がネットワークを介して情報処理装置に接続されることによって構成される情報処理システムにおいて、
前記画像提供装置は、
被写体を撮像する撮像手段と、
前記撮像手段により複数回の撮像が行われることによって得られた複数の画像を前記情報処理装置に送信する送信手段と
を備え、
前記情報処理装置は、
前記画像提供装置から送信されてきた複数の前記画像を受信する受信手段と、
複数の前記画像のうちの所定の画像を元画像として、明るさ、色の濃淡、色相、彩度、明度、コントラストを最低限含むうちの少なくともいずれかである写りが元画像と異なる画像である写り画像を作成する画像作成手段と、
前記所定の画像と前記写り画像とを前記携帯端末に送信する送信手段と
を備え、
前記携帯端末は、
前記情報処理装置から送信されてきた前記所定の画像と前記写り画像を受信する受信手段と、
前記所定の画像と前記写り画像を表示する表示手段と
を備える
情報処理システム。
【請求項２】
被写体を撮像し、複数回の撮像を行うことによって得られた複数の画像を送信する画像提供装置、および携帯端末とネットワークを介して接続される情報処理装置において、
前記画像提供装置から送信されてきた複数の前記画像を受信する受信手段と、
複数の前記画像のうちの所定の画像を元画像として、明るさ、色の濃淡、色相、彩度、明度、コントラストを最低限含むうちの少なくともいずれかである写りが元画像と異なる画像である写り画像を作成する画像作成手段と、
前記所定の画像と前記写り画像とを前記携帯端末に送信する送信手段と
を備える情報処理装置。
【請求項３】
前記画像の形状は、前記携帯端末が備える表示手段の形状と同じ縦長形状である
請求項２に記載の情報処理装置。
【請求項４】
前記画像の横：縦の比は、１６：９である
請求項３に記載の情報処理装置。
【請求項５】
縦長形状の前記画像は、前記被写体としての人物の略全身が縦に写る画像である
請求項３または４に記載の情報処理装置。
【請求項６】
被写体を撮像し、複数回の撮像を行うことによって得られた複数の画像を送信する画像提供装置、および携帯端末とネットワークを介して接続される情報処理装置の情報処理方法において、
前記画像提供装置から送信されてきた複数の前記画像を受信し、
複数の前記画像のうちの所定の画像を元画像として、明るさ、色の濃淡、色相、彩度、明度、コントラストを最低限含むうちの少なくともいずれかである写りが元画像と異なる画像である写り画像を作成し、
前記所定の画像と前記写り画像とを前記携帯端末に送信する
ステップを含む情報処理方法。
【発明の詳細な説明】
【技術分野】
【０００１】
本発明は、特に、携帯端末に応じた写りの画像を提供することができるようにした情報処理システム、情報処理装置、および情報処理方法に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集画像をシール紙に印刷して排出するという流れになる。
【０００４】
近年、携帯電話機などの携帯端末の性能が向上していることもあって、写真シール機と携帯端末を連動させた付加的なサービスが各種提供されている。
【０００５】
例えば、写真シール機からサーバに撮影画像や編集画像をアップロードしておき、後から、写真シール機のメーカーが運営するサイトに携帯端末からアクセスすることによって、アップロードしておいた画像を携帯端末上で閲覧したり、携帯端末にダウンロードしたりすることができるサービスがある。携帯端末の利用者は、ダウンロードした画像を携帯端末の待受画面に設定するなどして、写真シール機を使って作成した画像を携帯端末上で利用することができる。
【０００６】
特許文献１には、個人の紹介をするウェブページであるいわゆるプロフに掲載するための画像である携帯プロフ用画像を作成する機能を有する写真シール機が開示されている。携帯プロフ用画像の作成は、写真シール機で撮影することによって得られた撮影画像、または撮影画像に編集を施して得られた編集画像の特定領域をトリミングするようにして行われる。
【０００７】
特許文献２には、複数の撮影画像もしくは編集画像を組み合せて、携帯端末の待受画面に設定するための１枚の画像を作成する機能を有する写真シール機が開示されている。
【０００８】
特許文献３には、縦横比が異なるトリミング用の設定枠を複数用意しておき、利用者が好みの縦横比の設定枠を選択して撮影画像もしくは編集画像のトリミングを行い、携帯送信用画像を作成する機能を有する写真シール機が開示されている。
【０００９】
これらの写真シール機においては、明るさ等の写りの設定を撮影前に行うようになっている。利用者は、各種の設定を行ってから撮影を行い、撮影画像もしくは編集画像を元に、サーバ経由で自分の携帯端末に送信するための画像を作成することになる。
【先行技術文献】
【特許文献】
【００１０】
【特許文献１】特開２０１０−１５４４５２号公報
【特許文献２】特開２０１０−１５４４５３号公報
【特許文献３】特開２０１１−０１９０７２号公報
【発明の概要】
【発明が解決しようとする課題】
【００１１】
写真シール機からサーバにアップロードしておいた画像を携帯端末上で見たときに、写真シール機のモニタでの見え方と携帯端末のモニタでの見え方が異なることによって、自分が想定していた色味や明るさの画像になっていることがある。想定していない色味や明るさの画像を提供してしまうことは、利用者の満足度を低下させることに繋がる。
【００１２】
本発明はこのような状況に鑑みてなされたものであり、携帯端末に応じた写りの画像を提供することができるようにするものである。
【課題を解決するための手段】
【００１３】
本発明の情報処理システムは、画像提供装置と携帯端末がネットワークを介して情報処理装置に接続されることによって構成される情報処理システムにおいて、前記画像提供装置は、被写体を撮像する撮像手段と、前記撮像手段により複数回の撮像が行われることによって得られた複数の画像を前記情報処理装置に送信する送信手段とを備え、前記情報処理装置は、前記画像提供装置から送信されてきた複数の前記画像を受信する受信手段と、複数の前記画像のうちの所定の画像を元画像として、明るさ、色の濃淡、色相、彩度、明度、コントラストを最低限含むうちの少なくともいずれかである写りが元画像と異なる画像である写り画像を作成する画像作成手段と、前記所定の画像と前記写り画像とを前記携帯端末に送信する送信手段とを備え、前記携帯端末は、前記情報処理装置から送信されてきた前記所定の画像と前記写り画像を受信する受信手段と、前記所定の画像と前記写り画像を表示する表示手段とを備える。
【００１４】
本発明の情報処理装置は、被写体を撮像し、複数回の撮像を行うことによって得られた複数の画像を送信する画像提供装置、および携帯端末とネットワークを介して接続される情報処理装置において、前記画像提供装置から送信されてきた複数の前記画像を受信する受信手段と、複数の前記画像のうちの所定の画像を元画像として、明るさ、色の濃淡、色相、彩度、明度、コントラストを最低限含むうちの少なくともいずれかである写りが元画像と異なる画像である写り画像を作成する画像作成手段と、前記所定の画像と前記写り画像とを前記携帯端末に送信する送信手段とを備える。
【００１５】
前記画像の形状を、前記携帯端末が備える表示手段の形状と同じ縦長形状とすることができる。
【００１６】
前記画像の横：縦の比を、１６：９とすることができる。
【００１７】
縦長形状の前記画像を、前記被写体としての人物の略全身が縦に写る画像とすることができる。
【００１８】
本発明の情報処理方法は、被写体を撮像し、複数回の撮像を行うことによって得られた複数の画像を送信する画像提供装置、および携帯端末とネットワークを介して接続される情報処理装置の情報処理方法において、前記画像提供装置から送信されてきた複数の前記画像を受信し、複数の前記画像のうちの所定の画像を元画像として、明るさ、色の濃淡、色相、彩度、明度、コントラストを最低限含むうちの少なくともいずれかである写りが元画像と異なる画像である写り画像を作成し、前記所定の画像と前記写り画像とを前記携帯端末に送信するステップを含む。
【発明の効果】
【００１９】
本発明によれば、携帯端末に応じた写りの画像を提供することができる。
【図面の簡単な説明】
【００２０】
【図１】本発明の一実施形態に係る情報処理システムの構成例を示す図である。
【図２】写真シール機の外観の構成例を示す斜視図である。
【図３】カーテンを取り付けた状態の写真シール機の外観を示す斜視図である。
【図４】写真シール機の外観を他の角度からみた斜視図である。
【図５】利用者の移動について説明する図である。
【図６】撮影部の構成例を示す図である。
【図７】撮影部の色について説明する図である。
【図８】背景部の構成例を示す図である。
【図９】編集部の構成例を示す図である。
【図１０】事後接客部の構成例を示す図である。
【図１１】写真シール機の内部の構成例を示すブロック図である。
【図１２】管理サーバの構成例を示すブロック図である。
【図１３】管理サーバの機能構成例を示すブロック図である。
【図１４】携帯端末の構成例を示すブロック図である。
【図１５】情報処理システムの処理について説明するフローチャートである。
【図１６】管理サーバと携帯端末の間で行われる処理について説明するフローチャートである。
【図１７】管理サーバに保存される写り画像の例を示す図である。
【図１８】携帯端末の画面遷移について説明する図である。
【図１９】携帯端末の画面遷移について説明する図１８に続く図である。
【図２０】管理サーバと携帯端末の間で行われる処理について説明するフローチャートである。
【図２１】管理サーバと携帯端末の間で行われる処理について説明するフローチャートである。
【図２２】携帯端末の画面遷移について説明する図である。
【図２３】携帯端末の画面遷移について説明する図２２に続く図である。
【図２４】携帯端末の画面遷移について説明する図である。
【図２５】管理サーバと携帯端末の間で行われる処理について説明するフローチャートである。
【図２６】管理サーバに保存される写り画像の例を示す図である。
【図２７】携帯端末の画面遷移について説明する図である。
【図２８】携帯端末の画面遷移について説明する図２７に続く図である。
【図２９】携帯端末の画面遷移について説明する図である。
【図３０】情報処理システムの処理について説明するフローチャートである。
【図３１】管理サーバに保存される写り画像の例を示す図である。
【図３２】情報処理システムの処理について説明するフローチャートである。
【図３３】管理サーバに保存される写り画像の例を示す図である。
【図３４】パラメータの例を示す図である。
【図３５】写真シール機の処理の詳細について説明するフローチャートである。
【図３６】図３５のステップＳ５０２において行われる本撮影処理について説明するフローチャートである。
【図３７】撮影空間における画面表示の例を示す図である。
【図３８】撮影空間における画面表示の例を示す図である。
【図３９】撮影空間における画面表示の例を示す図である。
【図４０】撮影空間における画面表示の例を示す図である。
【図４１】撮影空間における画面表示の例を示す図である。
【図４２】撮影空間における画面表示の例を示す図である。
【図４３】撮影空間における画面表示の例を示す図である。
【図４４】撮影空間における画面表示の例を示す図である。
【図４５】撮影空間における画面表示の例を示す図である。
【図４６】撮影空間における画面表示の例を示す図である。
【図４７】編集空間における画面表示の例を示す図である。
【図４８】写真シール機の他の外観の構成例を示す斜視図である。
【図４９】カーテンを取り付けた状態の図４８の写真シール機の外観を示す斜視図である。
【図５０】図４８の写真シール機の外観を他の角度からみた斜視図である。
【図５１】利用者の移動について説明する図である。
【図５２】編集部の正面の構成例を示す図である。
【図５３】編集部の側面の構成例を示す図である。
【図５４】事中接客部の構成例を示す図である。
【図５５】図４８の写真シール機の内部の構成例を示すブロック図である。
【図５６】写真シール作成ゲームを提供する処理について説明するフローチャートである。
【発明を実施するための形態】
【００２１】
以下、本発明を実施するための形態について説明する。説明は以下の順序で行う。
１．情報処理システムの構成例
２．情報処理システムを構成する各装置の構成例
２−１．写真シール機の構成例
２−２．管理サーバの構成例
２−３．携帯端末の構成例
３．情報処理システムの動作
３−１．実施例１
３−２．実施例２
３−３．実施例３
３−４．実施例４
３−５．変形例
４．写真シール機の動作の詳細
５．写真シール機の他の構成例
【００２２】
＜１．情報処理システムの構成例＞
図１は、本発明の一実施形態に係る情報処理システムの構成例を示す図である。
【００２３】
図１の情報処理システムは、写真シール機１、携帯端末２、および管理サーバ３から構成される。携帯端末２は、写真シール機１が提供するゲームを行い、シール紙を受け取る利用者が携帯している携帯電話機などの端末であり、管理サーバ３は、例えば写真シール機１のメーカーが管理する情報処理装置である。
【００２４】
写真シール機１には、非接触型ICとの間で近接通信を行うリーダ／ライタが設けられ、携帯端末２には非接触型ICが内蔵されている。図１の情報処理システムにおいて、写真シール機１と携帯端末２の間の情報の送受信は、携帯端末２が写真シール機１のリーダ／ライタにかざされたときに、非接触型ICを用いた近接通信により行われる。写真シール機１と管理サーバ３の間、携帯端末２と管理サーバ３の間の情報の送受信は、インターネットなどのネットワークを介して行われる。
【００２５】
写真シール機１には携帯送信の機能が用意されている。携帯端末２の利用者は、写真シール機１が提供する写真シール作成ゲームにおいて携帯送信の機能を利用することができる。
【００２６】
携帯送信は、写真シール機１で作成した画像が携帯端末２で見ることができるように、写真シール機１で作成した画像を管理サーバ３に送信する機能である。例えば撮影画像の編集が終了したとき、利用者は、写真シール機１の画面に表示される画像の中から、管理サーバ３に保存しておく画像を選択する。
【００２７】
利用者により選択された画像は、利用者により入力されたメールアドレスとともに管理サーバ３に送信され、管理サーバ３が有する記憶媒体に保存（記憶）される。保存先を表すURLを含む電子メールが管理サーバ３から携帯端末２に送信され、利用者が携帯端末２を操作して電子メールに含まれるURLに対するアクセスを指示したとき、URLに基づいてアクセスが行われ、写真シール機１から管理サーバ３に送信しておいた画像が携帯端末２のモニタに表示される。
【００２８】
携帯端末２の利用者は、携帯端末２のモニタに表示させた画像を待ち受け画面に設定したりすることができる。
【００２９】
図１の情報処理システムにおいては、携帯端末２の利用者は、写りが異なる複数の画像の中から好みの写りの画像を選択することができるようになされている。情報処理システムの一連の動作については後述する。
【００３０】
＜２．情報処理システムを構成する各装置の構成例＞
［２−１．写真シール機の構成例］
図２は、写真シール機１の外観の構成例を示す斜視図である。
【００３１】
写真シール機１は、撮影や編集等の作業を利用者にゲームとして行わせ、撮影画像や編集済み画像を提供する代わりに利用者より代金を受け取るゲーム機である。写真シール機１はゲームセンタなどの店舗に設置される。利用者は１人であることもあるし、複数人であることもある。
【００３２】
写真シール機１が提供するゲームで遊ぶ利用者は、代金を投入し、自身が被写体となって撮影を行い、撮影によって得られた撮影画像の中から選択した編集対象の画像に対して、手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３３】
図２に示すように、写真シール機１は、主に、撮影ユニット１１、編集部１２、および事後接客部１３から構成される。撮影ユニット１１と編集部１２が接した状態で設置され、編集部１２と事後接客部１３が接した状態で設置される。
【００３４】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３５】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００３６】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図４）から構成される。
【００３７】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００３８】
撮影部２１の側面パネル４２Ａ、連結部２３Ａ、および背景部２２の側面パネル５２Ａに囲まれることによって形成される開口が撮影空間の出入り口Ｇ１となる。撮影部２１の側面パネル４２Ｂ、連結部２３Ｂ、および背景部２２の側面パネル５２Ｂに囲まれることによって形成される開口も撮影空間の出入り口Ｇ２となる。
【００３９】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４０】
複数のカーテンを１枚のクロマキ用のカーテンとし、昇降式の背景カーテンとして用意してもよい。また、クロマキ用のカーテンを予め撮影空間の背面に張り付けるとともに、合成用の背景画像を複数種類用意し、編集処理において利用者が所望する背景画像をカーテンの部分に合成することができるようにしてもよい。
【００４１】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４２】
図３に示すように、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【００４３】
また、図３に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【００４４】
図２の説明に戻り、編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４５】
図２に示す編集部１２の構成を正面側の構成とすると、２組の利用者が同時に編集処理を行うことができるように、編集部１２の正面側と背面側には編集処理に用いられる構成がそれぞれ設けられる。
【００４６】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図４）が設けられる。
【００４７】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００４８】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００４９】
図４は、写真シール機１を別の角度から見た斜視図である。
【００５０】
事後接客部１３は事後接客処理を利用者に行わせる装置である。事後接客処理には、撮影画像や編集済みの画像を送信する携帯送信の処理、ミニゲームを利用者に行わせる処理、アンケートに答えさせる処理などが含まれる。
【００５１】
図４に示すように、事後接客部１３は、所定の厚さを有する板状の筐体を有しており、その背面が編集部１２の左側面に接するように編集部１２に連結して設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００５２】
ここで、写真シール作成ゲームの流れと、それに伴う利用者の移動について図５を参照して説明する。図５は、写真シール機１を上から見た平面図である。
【００５３】
写真シール機１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５４】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５５】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５６】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５７】
上述した携帯送信の処理は、事後接客空間Ａ３にいる利用者を対象とした処理である。撮影画像や編集画像を管理サーバ３に送信する処理などが事後接客空間Ａ３にいる利用者による操作に応じて行われる。
【００５８】
画像の印刷が終了したとき、利用者は、事後接客部１３に設けられた排出口からシール紙を受け取り、一連の写真シール作成ゲームを終えることになる。
【００５９】
次に、写真シール機１を構成する各装置について説明する。
【００６０】
図６は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００６１】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。側面パネル４２Ａの上方には連結部２３Ａが固定され、側面パネル４２Ｂの上方には連結部２３Ｂが固定される。
【００６２】
正面パネル４１のほぼ中央には撮影・表示ユニット８１が設けられる。撮影・表示ユニット８１は、カメラ９１、正面ストロボ９２、およびタッチパネルモニタ９３から構成される。
【００６３】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００６４】
カメラ９１を囲むように発光面が設けられた正面ストロボ９２は、他のストロボと同様にカメラ９１による撮影に合わせて発光し、被写体としての利用者の顔付近を正面から照射する。
【００６５】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００６６】
正面パネル４１には、撮影・表示ユニット８１の位置を基準として、上方に上ストロボ８２が設置される。また、左方に左ストロボ８３が設置され、右方に右ストロボ８４が設置される。撮影・表示ユニット８１の下方の位置には、ベース部４３の上面が一部突出する形で下ストロボ８５が設けられる。
【００６７】
上ストロボ８２は、利用者を上前方から照射する。左ストロボ８３は、利用者を左前方から照射し、右ストロボ８４は、利用者を右前方から照射する。下ストロボ８５は、利用者を下前方から照射する。
【００６８】
ベース部４３には利用者の足元を照射する足元ストロボ８６も設けられる。上ストロボ８２、左ストロボ８３、右ストロボ８４、下ストロボ８５、および足元ストロボ８６の内部には蛍光灯が設けられており、天井ストロボユニット２４を構成するストロボの内部の蛍光灯と合わせて、撮影空間Ａ１内の照明として用いられる。
【００６９】
足元ストロボ８６の右側には、利用者がお金を投入する硬貨投入返却口８７が設けられる。
【００７０】
下ストロボ８５を挟んでベース部４３の上面の左右に形成されるスペース４３Ａおよび４３Ｂは、撮影処理を行う利用者が手荷物等を置くための荷物置き場として用いられる。
正面パネル４１の例えば天井付近には、撮影処理の案内音声、BGM(Back Ground Music)、効果音等の音を出力するスピーカも設けられる。
【００７１】
このような構成を有する撮影部２１の各部のうち、正面パネル４１、側面パネル４２Ａ、側面パネル４２Ｂ、およびベース部４３の撮影空間Ａ１に面する部分の色と、連結部２３Ａ、連結部２３Ｂの内側の色は、図７に色を付して示すように黒色などの暗い色とされる。図３を参照して説明したように、撮影空間Ａ１の天井前方の開口に取り付けられる天井前方カーテン６１の内側の色と、出入り口Ｇ１およびＧ２に取り付けられるカーテンの内側の色が暗い色であることもあって、撮影空間Ａ１の前方の色は全体的に暗い色となる。
【００７２】
後述するように、背景部２２には撮影空間Ａ１にいる利用者を背面側から照射するストロボが設けられる。撮影空間Ａ１の前方の色を全体的に暗い色にすることによって、背景部２２に設けられるストロボからの光が撮影空間Ａ１内で反射し、利用者を照射してしまうことを防ぐことができ、意図した明るさで撮影を行うことが可能になる。
【００７３】
すなわち、背景部２２の両端に設けられたストロボからの光のうち、利用者にあたらない光の反射は出入り口Ｇ１およびＧ２に取り付けられた側面カーテンの内側で防ぐことができる。また、撮影部２１の正面に設けられた例えば下ストロボ８５からの光のうち、利用者にあたらない光の反射は天井前方カーテン６１の内側で防ぐことができる。撮影部２１の正面に設けられた左ストロボ８３および右ストロボ８４からの光のうち、利用者にあたらない光の反射は側面パネル４２Ａ、側面パネル４２Ｂの内側で防ぐことができる。
【００７４】
また、図３を参照して説明したように、撮影空間Ａ１の天井後方の開口に取り付けられる天井後方カーテン６２の内側の色は明るい色である。背景カーテンとして明るい色のカーテンを選択することによって、撮影空間Ａ１の後方の色は全体的に明るい色となる。
【００７５】
撮影空間Ａ１の後方の色を全体的に明るい色にすることによって、撮影部２１に設けられるストロボからの光を撮影空間Ａ１内で反射させ、利用者を後方から照射することが可能になる。利用者を後方から照射して撮影を行うことによって、逆光で撮影したときと同様に、利用者の輪郭が柔らかい雰囲気で写っている画像を撮影することが可能になる。
【００７６】
図８は、背景部２２の撮影空間Ａ１側の構成例を示す図である。
【００７７】
上述したように、背面パネル５１の上方には背景カーテンユニット２５が設けられる。
背景カーテンユニット２５のほぼ中央には、撮影空間Ａ１内で撮影処理を行っている利用者を後方中央から照射する背面中央ストロボ１０１が取り付けられる。
【００７８】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００７９】
図９は、編集部１２の正面側（編集空間Ａ２−１側）の構成例を示す図である。
【００８０】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００８１】
タブレット内蔵モニタ１３１は、タッチペン１３２Ａまたは１３２Ｂを用いて操作入力が可能なタブレットがLCDなどのモニタに重畳して設けられることによって構成される。
タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００８２】
編集部１２の左側には事後接客部１３が設けられる。
【００８３】
図１０は、事後接客部１３の正面側の構成例を示す図である。
【００８４】
事後接客部１３の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。タブレット内蔵モニタ１６１には、携帯送信によって送信する画像の選択画面などの、事後接客処理に用いられる画面が表示される。
【００８５】
タブレット内蔵モニタ１６１の下には非接触型ICリーダ／ライタ１６３が設けられ、非接触型ICリーダ／ライタ１６３の下にはシール紙排出口１６４が設けられる。シール紙排出口１６４の下にはスピーカ１６５が設けられる。
【００８６】
非接触型ICリーダ／ライタ１６３は、近接された非接触型ICと通信を行い、非接触型ICからのデータの読み出しや非接触型ICに対するデータの書き込みを行う。
【００８７】
例えば、携帯送信をする利用者が携帯端末２をかざしたとき、非接触型ICリーダ／ライタ１６３は、携帯端末２の識別情報である携帯端末IDなどの情報を携帯端末２に内蔵されている非接触型ICから読み出して取得する。非接触型ICリーダ／ライタ１６３により読み出された携帯端末IDは、例えば利用者により入力されたメールアドレスの情報などとともに管理サーバ３に送信される。
【００８８】
シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８９】
スピーカ１６５は、事後接客処理の案内音声、BGM、効果音等の音を出力する。
【００９０】
次に、写真シール機１の内部構成について説明する。図１１は、写真シール機１の内部の構成例を示すブロック図である。上述した構成と同じ構成には同じ符号を付してある。
重複する説明については適宜省略する。
【００９１】
制御部２０１はCPU(Central Processing Unit)などよりなり、ROM(Read Only Memory)２０６や記憶部２０２に記憶されているプログラムを実行し、写真シール機１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、事後接客部２１０、および印刷部２１１の各構成も接続される。
【００９２】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００９３】
通信部２０３はインターネットなどのネットワークのインタフェースであり、制御部２０１による制御に従って、管理サーバ３などの外部の装置と通信を行う。
【００９４】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００９５】
ROM２０６には、制御部２０１において実行されるプログラムやデータが記憶されている。RAM２０７は、制御部２０１が処理するデータやプログラムを一時的に記憶する。
【００９６】
撮影部２０８は、撮影空間Ａ１における撮影処理を行う構成である硬貨処理部２２１、背景制御部２２２、照明制御部２２３、カメラ９１、タッチパネルモニタ９３、およびスピーカ２２４から構成される。
【００９７】
硬貨処理部２２１は、硬貨投入返却口８７に対する硬貨の投入を検出する。硬貨処理部２２１は、３００円などの所定の金額分の硬貨が投入されたことを検出した場合、そのことを表す起動信号を制御部２０１に出力する。
【００９８】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９９】
照明制御部２２３は、制御部２０１より供給される照明制御信号に従って、撮影空間Ａ１内の各ストロボの発光を制御する。
【０１００】
カメラ９１は、制御部２０１による制御に従って撮影を行い、撮影によって得られた画像を制御部２０１に出力する。
【０１０１】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【０１０２】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【０１０３】
事後接客部２１０は、事後接客空間Ａ３における事後接客処理を行う構成であるタブレット内蔵モニタ１６１、タッチペン１６２Ａ，１６２Ｂ、非接触型ICリーダ／ライタ１６３、およびスピーカ１６５から構成される。
【０１０４】
印刷部２１１は、印刷処理を行う構成であるプリンタ２４１、およびシール紙ユニット２４２から構成される。プリンタ２４１は、撮影画像、または編集処理によって得られた編集済みの画像を、プリンタ２４１に装着されたシール紙ユニット２４２に収納されているシール紙に印刷し、シール紙排出口１６４に排出する。一点鎖線で囲んで示す事後接客部２１０と印刷部２１１が、事後接客空間Ａ３にいる利用者を相手とした処理を行う構成となる。
【０１０５】
［２−２．管理サーバの構成例］
図１２は、管理サーバ３の構成例を示すブロック図である。
【０１０６】
CPU(Central Processing Unit)５１１、ROM５１２、RAM５１３は、バス５１４により相互に接続される。
【０１０７】
バス５１４には、さらに、入出力インタフェース５１５が接続される。入出力インタフェース５１５には、キーボード、マウスなどよりなる入力部５１６、ディスプレイ、スピーカなどよりなる出力部５１７が接続される。また、入出力インタフェース５１５には、ハードディスクや不揮発性のメモリなどより構成され、各種の情報を記憶する記憶部５１８、ネットワークインタフェースなどより構成され、写真シール機１や携帯端末２と通信を行う通信部５１９、リムーバブルメディア５２１を駆動するドライブ５２０が接続される。
【０１０８】
記憶部５１８には、写真シール機１から送信されてきた画像の写りの調整に用いられるパラメータが複数記憶される。管理サーバ３においては、複数のパラメータを用いることによって、１枚の画像を元画像として、写りの異なる複数の画像が作成される。以下、適宜、所定の画像を元画像とし、元画像の写りを調整することによって得られる画像を写り画像という。
【０１０９】
管理サーバ３により作成された写り画像も記憶部５１８に記憶され、所定のタイミングで携帯端末２に提供される。
【０１１０】
また、記憶部５１８には、写真シール機１から送信されてきた画像、画像の識別情報である画像ID、携帯端末２のメールアドレスなどの情報が携帯端末IDと紐付けて記憶され、管理される。画像IDは、例えば写真シール機１に割り当てられたID、日付、連番を組み合わせて構成される。
【０１１１】
図１３は、管理サーバ３の機能構成例を示すブロック図である。図１３に示す機能部のうちの少なくとも一部は、図１２のCPU５１１により所定のプログラムが実行されることによって実現される。
【０１１２】
管理サーバ３においては、情報管理部５３１と写り画像作成部５３２が実現される。
【０１１３】
情報管理部５３１は、写真シール機１から送信されてきた画像を取得し、取得した画像に保存先となるURLを割り当て、記憶部５１８に記憶させる。情報管理部５３１は、通信部５１９を制御し、画像保存先URLを含む電子メールを携帯端末２に送信する。また、情報管理部５３１は、上述したような画像ID、携帯端末２のメールアドレスなどの情報を記憶部５１８に記憶させ、携帯端末IDと紐付けて管理する。情報管理部５３１は、画像管理サイトを管理し、画像管理サイトにアクセスしてきた携帯端末２に写り画像を提供するなどの各種の処理を行う。
【０１１４】
写り画像作成部５３２は、写りの調整に用いられるパラメータに基づいて写り画像を作成する。
【０１１５】
写真シール機１との通信、および携帯端末２との通信は、それぞれ、情報管理部５３１、写り画像作成部５３２により通信部５１９が制御されることによって行われる。
【０１１６】
［２−３．携帯端末の構成例］
図１４は、携帯端末２の構成例を示すブロック図である。
【０１１７】
携帯端末２は、制御部５４１、アンテナ５４２、通信部５４３、記憶部５４４、表示部５４５、非接触型IC５４６、および操作部５４７から構成される。
【０１１８】
制御部５４１は、CPU，ROM，RAMなどよりなり、所定のプログラムを実行し、携帯端末２の全体の動作を制御する。例えば、制御部５４１は、通信部５４３を制御して管理サーバ３と通信を行い、非接触型IC５４６を制御して写真シール機１と通信を行う。
【０１１９】
通信部５４３は、基地局から送信された電波が受信されることに応じてアンテナ５４２から供給された信号の復調処理を行い、復調処理を行うことによって得られた情報を制御部５４１に出力する。また、通信部５４３は、制御部５４１から供給された情報に対して変調処理を施し、得られた信号をアンテナ５４２から送信する。
【０１２０】
記憶部５４４はフラッシュメモリなどよりなり、携帯端末ID、メールアドレスなどの各種の情報を記憶する。
【０１２１】
表示部５４５はLCDなどよりなり、各種の情報を表示する。例えば表示部５４５には、管理サーバ３から送信されてきた情報に基づいて、写真シール機１から管理サーバ３に送信した画像の写りの選択に用いられる画面が表示される。
【０１２２】
非接触型IC５４６は、写真シール機１の非接触型ICリーダ／ライタ１６３との通信可能範囲にあるとき、非接触型ICリーダ／ライタ１６３と近接通信を行う。非接触型IC５４６は、記憶部５４４から読み出され、制御部５４１から供給された携帯端末IDを非接触型ICリーダ／ライタ１６３に送信する。
【０１２３】
操作部５４７は各種のボタンや表示部５４５に重ねて設けられたタッチパネルより構成され、利用者の操作の内容を表す信号を制御部５４１に出力する。
【０１２４】
＜３．情報処理システムの動作＞
［３−１．実施例１］
ここで、図１５のフローチャートを参照して情報処理システムの処理について説明する。
【０１２５】
図１５の処理は、写真シール機１が提供する写真シール作成ゲームを行おうとしている携帯端末２の利用者により、所定の代金が写真シール機１に投入されたときに開始される。携帯送信の機能によって画像を送信することが所定のタイミングで利用者により選択されるものとする。
【０１２６】
硬貨が投入されたことが硬貨処理部２２１により検出された場合、ステップＳ１において、写真シール機１の制御部２０１は撮影空間Ａ１での処理を行う。制御部２０１は、撮影部２０８を制御して撮影処理を行い、カメラ９１による撮影を所定の回数繰り返し行わせる。制御部２０１は、カメラ９１により撮影された複数の撮影画像を記憶部２０２に記憶させるなどして保存する。
【０１２７】
撮影処理が終了したとき、制御部２０１は、タッチパネルモニタ９３にメッセージを表示するなどして、編集空間Ａ２−１またはＡ２−２への移動を案内する。
【０１２８】
ステップＳ２において、制御部２０１は、編集空間Ａ２−１またはＡ２−２での処理を行う。制御部２０１は、編集空間Ａ２−１にいる利用者を対象として処理を行う場合には編集部２０９Ａを制御して、一方、編集空間Ａ２−２にいる利用者を対象として処理を行う場合には編集部２０９Ｂを制御して編集処理を行い、利用者による操作に応じて、複数の撮影画像の中から編集対象として選択された撮影画像の編集を行う。撮影画像の編集は、タブレット内蔵モニタ１３１に表示される編集画面を用いて行われる。
【０１２９】
また、制御部２０１は、撮影画像の編集が終了したときなどの所定のタイミングで、編集済みの撮影画像、または編集が施されていない撮影画像と、撮影画像に割り当てた画像IDとを管理サーバ３に送信する。
【０１３０】
以下、写真シール機１から管理サーバ３に対して、８枚の画像とそれぞれの画像の画像IDが送信されるものとする。写真シール機１から管理サーバ３に送信される画像を送信画像という。送信画像は、編集済みの撮影画像、または編集が施されていない撮影画像である。
【０１３１】
編集処理が終了したとき、制御部２０１は、プリンタ２４１に印刷を開始させるとともに、タブレット内蔵モニタ１３１にメッセージを表示するなどして、編集空間Ａ２−１またはＡ２−２から、事後接客空間Ａ３への移動を案内する。
【０１３２】
ステップＳ３において、制御部２０１は、「携帯をかざしてね」などのメッセージを含む画面を事後接客部１３のタブレット内蔵モニタ１６１に表示し、携帯端末２を非接触型ICリーダ／ライタ１６３にかざす（近接させる）ことを利用者に要求する。携帯端末２が非接触型ICリーダ／ライタ１６３にかざされたとき、制御部２０１は非接触型ICリーダ／ライタ１６３を制御し、携帯端末２の非接触型IC５４６から携帯端末IDを読み出して取得する。
【０１３３】
また、制御部２０１は、メールアドレスの入力画面をタブレット内蔵モニタ１６１に表示し、タッチペン１６２Ａ、タッチペン１６２Ｂなどを用いて利用者により入力されたメールアドレスを取得する。携帯端末２が非接触型ICリーダ／ライタ１６３にかざされたときに、携帯端末IDとともにメールアドレスが非接触型IC５４６から読み出されるようにしてもよい。
【０１３４】
ステップＳ４において、制御部２０１は、通信部２０３を制御し、携帯端末２のメールアドレスと携帯端末IDを管理サーバ３に送信する。
【０１３５】
ステップＳ５において、制御部２０１は、携帯送信用画像の選択画面をタブレット内蔵モニタ１６１に表示する。例えば携帯送信用画像の選択画面には、送信画像と同じ、編集済み、または編集が施されていない複数の撮影画像が表示され、その中から１枚の画像が携帯送信用画像として選択される。
【０１３６】
携帯送信用画像が選択されたとき、ステップＳ６において、制御部２０１は、通信部２０３を制御し、携帯送信用画像（携帯送信用画像として選択された撮影画像）の画像IDを、携帯送信フラグとともに管理サーバ３に送信する。携帯送信フラグは携帯送信の機能を利用することが選択されていることを表す。
【０１３７】
画像の印刷が終了したとき、ステップＳ７において、制御部２０１は、画像が印刷されたシール紙をシール紙排出口１６４に排出し、処理を終了させる。
【０１３８】
一方、管理サーバ３の情報管理部５３１は、ステップＳ２１において、写真シール機１から送信されてきた送信画像と画像IDを受信し、ステップＳ２２において、写真シール機１から送信されてきた携帯端末IDとメールアドレスを受信する。また、ステップＳ２３において、情報管理部５３１は、写真シール機１から送信されてきた携帯送信用画像の画像IDと携帯送信フラグを受信する。
【０１３９】
ステップＳ２４において、情報管理部５３１は、携帯送信フラグ、全送信画像の画像ID、携帯送信用画像の画像ID、送信画像、携帯端末ID、およびメールアドレスを紐付けて記憶部５１８に保存する。
【０１４０】
ステップＳ２５において、写り画像作成部５３２は、写真シール機１から送信されてきた８枚の送信画像のうち、携帯送信用画像として選択された送信画像を携帯送信用画像の画像IDに基づいて特定する。写り画像作成部５３２は、携帯送信用画像を元画像として、複数のパラメータに応じた写り画像を作成する。
【０１４１】
ここでは、写りの調整に用いられるパラメータとして、パラメータ１とパラメータ２の２種類のパラメータが用意されているものとする。パラメータ１は、コントラストを上げるように写りを調整するときに用いられるパラメータであり、パラメータ２は、コントラストを下げるように写りを調整するときに用いられるパラメータであるものとする。
【０１４２】
写りの調整に用いられるパラメータは、コントラストだけでなく、例えば、明るさ、色の濃淡、色相、彩度、明度のいずれか１つを調整するものであってもよいし、いずれかを掛け合わせて調整するものであってもよい。
【０１４３】
パラメータ１に基づいて写りを調整した写り画像は、元画像より濃い写り（くっきりの写り）の画像となり、パラメータ２に基づいて写りを調整した写り画像は、元画像より淡い写り（明るめの写り）の画像となる。
【０１４４】
ステップＳ２６において、情報管理部５３１は、パラメータ１に基づいて写りを調整することによって得られた写り画像と、パラメータ２に基づいて写りを調整することによって得られた写り画像の２枚の写り画像を携帯端末IDと紐付けて記憶部５１８に保存する。
【０１４５】
ステップＳ２７において、情報管理部５３１は、送信画像や写り画像に保存先のURLを割り当てる。情報管理部５３１は、画像保存先URLを含む電子メールを、写真シール機１経由で取得した携帯端末２のメールアドレスに基づいて携帯端末２に送信する。
【０１４６】
ステップＳ４１において、携帯端末２の制御部５４１は、管理サーバ３から送信されてきた電子メールを受信する。
【０１４７】
画像保存先URLに対するアクセスが利用者により指示された場合、ステップＳ４２において、制御部５４１は、通信部５４３を制御して管理サーバ３にアクセスする。管理サーバ３にアクセスしたとき、制御部５４１は、管理サーバ３に対して携帯端末IDを送信する。
【０１４８】
ステップＳ２８において、管理サーバ３の情報管理部５３１は、携帯端末２から送信されてきた携帯端末IDを受信し、ステップＳ２９において、携帯端末２によるアクセスが初めてのアクセスであるのか、２回目以降のアクセスであるのかの判定を行う。例えば記憶部５１８には、画像管理サイトにアクセスしてきた携帯端末の携帯端末IDの履歴が保存される。携帯端末２から送信されてきた携帯端末IDが履歴に既に保存されている場合には２回目以降のアクセスであると判定され、まだ保存されていない場合には初めてのアクセスであると判定される。
【０１４９】
また、情報管理部５３１は、ステップＳ２９において、携帯端末２の利用者が会員登録済みの利用者であるのか、非会員の利用者であるのかの判定を行う。例えば管理サーバ３には会員登録用のサイトが用意されており、携帯端末２の利用者は、携帯端末２から会員登録用のサイトにアセクスし、会員登録を行うことができるようになされている。会員登録が行われたとき、携帯端末２の利用者にはユーザIDが割り当てられる。
【０１５０】
会員／非会員の判定は、所定のタイミングでユーザIDが携帯端末２から送信されてきたか否かに基づいて行われる。割り当て済みのユーザIDが送信されてきた場合には会員であると判定され、送信されてこない場合には非会員であると判定される。
【０１５１】
その後、管理サーバ３と携帯端末２の間で、ステップＳ２９の判定結果に応じた処理が行われる。
【０１５２】
［非会員、かつ初回アクセス時の第１の例］
次に、図１６のフローチャートを参照して、携帯端末２の利用者が非会員であり、かつ、携帯端末２の利用者によるアクセスが初めてのアクセスである場合に管理サーバ３と携帯端末２の間で行われる処理について説明する。
【０１５３】
ステップＳ７１において、携帯端末２の制御部５４１は、管理サーバ３にアセクスしたとき（図１５のステップＳ４２）に管理サーバ３から送信されてきた情報に基づいて、管理サーバ３が管理するサイトである画像管理サイトのトップページを表示部５４５に表示させる。
【０１５４】
ステップＳ５１において、管理サーバ３の情報管理部５３１は、記憶部５１８から携帯送信用画像を読み出し、携帯端末２に送信する。携帯端末２に送信される携帯送信用画像は、図１５のステップＳ２５において写り画像を作成するための元画像として用いられた、デフォルトの写りの携帯送信用画像である。
【０１５５】
ステップＳ７２において、携帯端末２の制御部５４１は、管理サーバ３から送信されてきたデフォルトの写りの携帯送信用画像を受信し、ステップＳ７３において表示部５４５に表示させる。
【０１５６】
デフォルトの携帯送信用画像の写りを確認した利用者により、携帯送信用画像の写りを変更することが指示された場合、ステップＳ７４において、制御部５４１は、写りの変更が指示されたことを表す情報を管理サーバ３に送信する。
【０１５７】
ステップＳ５２において、管理サーバ３の情報管理部５３１は、携帯端末２から送信されてきた情報を受信し、ステップＳ５３において、デフォルトの写りの携帯送信用画像と、図１５のステップＳ２５において予め作成しておいた２枚の写り画像を携帯端末２に送信する。
【０１５８】
ステップＳ７５において、携帯端末２の制御部５４１は、管理サーバ３から送信されてきた画像を受信し、ステップＳ７６において表示部５４５に表示させる。表示部５４５には、例えば、デフォルトの写りの携帯送信用画像と２枚の写り画像がサムネイル表示される。
【０１５９】
デフォルトの携帯送信用画像と、パラメータ１に基づいて写りが調整された携帯送信用画像と、パラメータ２に基づいて写りが調整された携帯送信用画像のそれぞれの画像の写りを確認した携帯端末２の利用者により所定の写りが選択された場合、ステップＳ７７において、制御部５４１は、利用者により選択された写りがどの写りであるのかを表すパラメータ情報を管理サーバ３に送信する。
【０１６０】
ステップＳ５４において、管理サーバ３の情報管理部５３１は、携帯端末２から送信されてきたパラメータ情報を受信し、ステップＳ５５において、携帯端末IDと紐付けて保存する。
【０１６１】
ステップＳ５６において、写り画像作成部５３２は、携帯端末IDと紐付けて保存している８枚の送信画像のうち、携帯送信用画像を除く７枚の送信画像をそれぞれ元画像として、携帯端末２の利用者により選択された写りと同じ写りになるように元画像の写りを調整し、写り画像を作成する。写り画像作成部５３２は、携帯端末２の利用者により選択された写りが元画像より濃い写り（くっきりの写り）である場合にはパラメータ１を用いて写り画像を作成し、携帯端末２の利用者により選択された写りが元画像より淡い写り（明るめの写り）である場合にはパラメータ２を用いて写り画像を作成することになる。
【０１６２】
ステップＳ５７において、情報管理部５３１は、携帯送信用画像を除く７枚の送信画像については、元画像としたデフォルトの写りの送信画像に上書きする形で、写り画像作成部５３２により作成された写り画像を保存する。
【０１６３】
図１７は、記憶部５１８に保存される画像について説明する図である。
【０１６４】
写真シール機１から送信されてきた８枚の送信画像をそれぞれ画像１〜８として説明する。写真シール機１から送信されてきた直後においては、デフォルトの写りの画像１〜８が記憶部５１８に保存されている状態になる。画像１〜８のうちの画像１が携帯送信用画像として選択されているものとする。
【０１６５】
この場合、図１７に示すように、携帯送信用画像であるデフォルトの写りの画像１を元画像として、パラメータ１に基づいて画像１’が作成され、パラメータ２に基づいて画像１’’が作成される。画像１の写り画像である画像１’と画像１’’は記憶部５１８に保存される（図１５のステップＳ２５，Ｓ２６）。
【０１６６】
また、デフォルトの写りの携帯送信用画像である画像１を確認した携帯端末２の利用者により写りの変更が指示され、元画像より濃い写り（くっきりの写り）が選択された場合、画像２〜８をそれぞれ元画像として、パラメータ１を用いた写りの調整が行われる。画像２〜８の写り画像である画像２’〜８’は、画像２〜８に上書きする形で記憶部５１８に保存される（図１６のステップＳ５６，Ｓ５７）。
【０１６７】
図１７に示すように、記憶部５１８には、デフォルトの写りの携帯送信用画像である画像１、画像１の写り画像である画像１’と画像１’’、および、画像２〜８の写り画像である画像２’〜８’が保存されることになる。
【０１６８】
図１６の説明に戻り、ステップＳ５８において、情報管理部５３１は、デフォルトの写りの携帯送信用画像を元画像として作成した２枚の写り画像のうち、利用者により選択された写りと同じ写りの写り画像を携帯端末２に送信する。
【０１６９】
ステップＳ７８において、携帯端末２の制御部５４１は、管理サーバ３から送信されてきた写り画像を受信し、ステップＳ７９において表示部５４５に表示させる。
【０１７０】
図１８は、図１６の処理によって実現される携帯端末２の画面遷移の例を示す図である。
【０１７１】
図１８の左端の画面が画像管理サイトのトップページである。画像管理サイトのトップページのほぼ中央にはサンプル画像が表示され、下方に、「画像１枚」のメッセージが表示される。「画像１枚」のメッセージにはリンクが張られており、このメッセージが選択されたとき、デフォルトの写りの携帯送信用画像が管理サーバ３から送信されてくる（図１６のステップＳ５１）。画面の例において下線を付して示す文字の部分は、カーソルなどを合わせて決定ボタンを操作することによって、その部分が選択可能であることを表す。
【０１７２】
「画像１枚」のメッセージが選択されたとき、表示部５４５の表示は、管理サーバ３から送信されてきた情報に基づいて矢印＃１の先に示す画面Ａに切り替わる（ステップＳ７３）。
【０１７３】
画面Ａの上方の枠Ｆ１で囲む部分には、管理サーバ３から送信されてきたデフォルトの写りの携帯送信用画像が表示される。携帯端末２の利用者は、写真シール機１を利用していたときに見ていた写りと同じ、デフォルトの写りの携帯送信用画像を確認することができる。写真シール機１を利用していたときに見ていた写りと設定上は同じ写りであるが、表示部５４５の特性が写真シール機１のタブレット内蔵モニタ１３１などのモニタの特性と異なる場合には、色味などが若干異なる携帯送信用画像を利用者は確認することになる。
【０１７４】
携帯送信用画像の下には、枠Ｆ１で囲む部分に表示される携帯送信用画像の写りを変更することができることを表す「画像を自分好みにカスタマイズ」のメッセージが表示され、その下に、「画像の写りを変えてみる」のメッセージが表示される。「画像の写りを変えてみる」のメッセージが選択されたとき、写りの変更が指示されたことを表す情報が携帯端末２から管理サーバ３に送信される（ステップＳ７４）。管理サーバ３からは、デフォルトの写りの携帯送信用画像と２枚の写り画像が送信されてくる（ステップＳ５３）。
【０１７５】
表示部５４５の表示は、管理サーバ３から送信されてきた情報に基づいて矢印＃２の先に示す画面Ｂに切り替わる（ステップＳ７６）。
【０１７６】
画面Ｂの枠Ｆ１１で囲む部分には、管理サーバ３から送信されてきた画像のうちの、パラメータ２に基づいて写りが調整された元画像より淡い写り（明るめの写り）の写り画像が表示される。枠Ｆ１１の右側には、枠Ｆ１１で囲む部分に表示された画像が、元画像より淡い写り（明るめの写り）の写り画像であることを表す「明るめの写り」のメッセージが表示される。
【０１７７】
また、枠Ｆ１２で囲む部分には、管理サーバ３から送信されてきた画像のうちの、デフォルトの写りの携帯送信用画像が表示される。枠Ｆ１２の右側には、枠Ｆ１２で囲む部分に表示された画像が、デフォルトの写りの携帯送信用画像であることを表す「デフォルト」のメッセージが表示される。また、選択中の写りであることを表す「選択中」のメッセージが表示される。
【０１７８】
枠Ｆ１３で囲む部分には、管理サーバ３から送信されてきた画像のうちの、パラメータ１に基づいて写りが調整された写り画像が表示される。枠Ｆ１３の右側には、枠Ｆ１３で囲む部分に表示された画像が、元画像より濃い写り（くっきりの写り）の写り画像であることを表す「くっきりの写り」のメッセージが表示される。
【０１７９】
このように、画面Ｂには管理サーバ３から送信されてきた画像がサムネイル表示される。利用者は、写りが異なる３枚の携帯送信用画像を見比べて好みの写りを選択することができる。
【０１８０】
枠Ｆ１１の右側に表示されている「明るめの写り」のメッセージと、枠Ｆ１３の右側に表示されている「くっきりの写り」のメッセージにはそれぞれリンクが張られている。「明るめの写り」のメッセージが選択されたとき、元画像より淡い写り（明るめの写り）が選択されたことを表すパラメータ情報が携帯端末２から管理サーバ３に送信される（ステップＳ７７）。管理サーバ３からは、デフォルトの写りの携帯送信用画像を元画像として作成された、元画像より淡い写り（明るめの写り）の写り画像が送信されてくる（ステップＳ５８）。
【０１８１】
表示部５４５の表示は、管理サーバ３から送信されてきた情報に基づいて、矢印＃３の先に示す画面Ｃ−１に切り替わる（ステップＳ７９）。
【０１８２】
一方、画面Ｂの「くっきりの写り」のメッセージが選択されたとき、元画像より濃い写り（くっきりの写り）が選択されたことを表すパラメータ情報が携帯端末２から管理サーバ３に送信される（ステップＳ７７）。管理サーバ３からは、デフォルトの写りの携帯送信用画像を元画像として作成された、元画像より濃い写り（くっきりの写り）の写り画像が送信されてくる（ステップＳ５８）。
【０１８３】
表示部５４５の表示は、管理サーバ３から送信されてきた情報に基づいて、矢印＃４の先に示す画面Ｃ−２に切り替わる（ステップＳ７９）。
【０１８４】
画面Ｂにおいて「明るめの写り」のメッセージが選択されたときに表示される画面Ｃ−１の上方の枠Ｆ２１で囲む部分には、管理サーバ３から送信されてきた、元画像より淡い写り（明るめの写り）の携帯送信用画像が表示される。元画像より淡い写り（明るめの写り）の携帯送信用画像の下には、枠Ｆ２１で囲む部分に表示される携帯送信用画像の写りが元画像より淡い写り（明るめの写り）であることを表す「明るめの写り（選択中）」のメッセージが表示され、その下に、「デフォルトに戻す」のメッセージと、「くっきりの写り」のメッセージが表示される。
【０１８５】
画面Ｃ−１の「デフォルトに戻す」のメッセージと「くっきりの写り」のメッセージにはそれぞれリンクが張られている。「くっきりの写り」のメッセージが選択されたとき、画面Ｂから「くっきりの写り」のメッセージが選択された場合と同様にして、表示部５４５の表示は画面Ｃ−２に切り替わる。
【０１８６】
画面Ｃ−１の「デフォルトに戻す」のメッセージが選択されたとき、デフォルトの写りが選択されたことを表すパラメータ情報が携帯端末２から管理サーバ３に送信され、携帯端末２からパラメータ情報が送信されてくることに応じて、デフォルトの写りの携帯送信用画像が管理サーバ３から送信されてくる。
【０１８７】
表示部５４５の表示は、管理サーバ３から送信されてきた情報に基づいて、矢印＃５の先に示す、デフォルトの写りの携帯送信用画像が表示される画面に切り替わる。矢印＃５の先に示す画面の枠Ｆ３１で囲む部分に表示されるデフォルトの写りの携帯送信用画像の下には、「明るめの写り」のメッセージと「くっきりの写り」のメッセージが表示される。
【０１８８】
「明るめの写り」のメッセージが選択されたとき、画面Ｃ−２から「明るめの写り」のメッセージが選択された場合と同様に、表示部５４５の表示は画面Ｃ−１に切り替わる。
また、「くっきりの写り」のメッセージが選択されたとき、画面Ｃ−１から「くっきりの写り」のメッセージが選択された場合と同様に、表示部５４５の表示は画面Ｃ−２に切り替わる。
【０１８９】
一方、画面Ｂにおいて「くっきりの写り」のメッセージが選択されたときに表示される画面Ｃ−２の上方の枠Ｆ２２で囲む部分には、管理サーバ３から送信されてきた、元画像より濃い写り（くっきりの写り）の携帯送信用画像が表示される。元画像より濃い写り（くっきりの写り）の携帯送信用画像の下には、「明るめの写り」のメッセージと、「デフォルトに戻す」のメッセージが表示され、その下に、枠Ｆ２２で囲む部分に表示される携帯送信用画像の写りが元画像より濃い写り（くっきりの写り）であることを表す「くっきりの写り（選択中）」のメッセージが表示される。
【０１９０】
画面Ｃ−２の「明るめの写り」のメッセージと「デフォルトに戻す」のメッセージにはそれぞれリンクが張られている。「明るめの写り」のメッセージが選択されたとき、画面Ｂから「明るめの写り」のメッセージが選択された場合と同様にして、表示部５４５の表示は画面Ｃ−１に切り替わる。
【０１９１】
画面Ｃ−２の「デフォルトに戻す」のメッセージが選択されたとき、画面Ｃ−１から「デフォルトに戻す」のメッセージが選択された場合と同様に、デフォルトの写りが選択されたことを表すパラメータ情報が携帯端末２から管理サーバ３に送信され、携帯端末２からパラメータ情報が送信されてくることに応じて、デフォルトの写りの携帯送信用画像が管理サーバ３から送信されてくる。
【０１９２】
表示部５４５の表示は、管理サーバ３から送信されてきた情報に基づいて、矢印＃６の先に示す、デフォルトの写りの携帯送信用画像が表示される画面に切り替わる。
【０１９３】
元画像より淡い写り（明るめの写り）を選択しているときの画面である画面Ｃ−１、元画像より濃い写り（くっきりの写り）の写りを選択しているときの画面である画面Ｃ−２、および、デフォルト写りを選択しているときの画面である矢印＃５，＃６の先に示す画面のそれぞれの下方には「写りの設定を保存する」のメッセージが表示されている。
【０１９４】
「写りの設定を保存する」のメッセージにはリンクが張られており、このメッセージが選択された場合、写りの設定を保存することが指示されたことを表す情報が携帯端末２から管理サーバ３に送信され、選択中の写りを表すパラメータ情報が携帯端末IDと紐付けて保存される。後述するように、管理サーバ３に保存された写りの設定は、画像管理サイトに２回目以降にアクセスしたときに用いられる。
【０１９５】
図１９の画面Ｄは、元画像より淡い写り（明るめの写り）を選択しているときの画面である画面Ｃ−１において「写りの設定を保存する」のメッセージが選択されたときに表示部５４５に表示される画面である。
【０１９６】
画面Ｄの上方の枠Ｆ４１で囲む部分には、利用者が選択している元画像より淡い写り（明るめの写り）の携帯送信用画像が表示される。
【０１９７】
元画像より淡い写り（明るめの写り）の携帯送信用画像の下には、画面Ａと同様に、枠Ｆ４１で囲む部分に表示される携帯送信用画像の写りを変更することができることを表す「画像を自分好みにカスタマイズ」のメッセージが表示され、その下に、「画像の写りを変えてみる」のメッセージが表示される。「画像の写りを変えてみる」のメッセージが選択された場合の画面遷移は、画面Ａから「画像の写りを変えてみる」のメッセージが選択された場合と同様である。
【０１９８】
図１８の画面Ｃ−２から「写りの設定を保存する」のメッセージが選択された場合、表示部５４５には、選択中の写りである元画像より濃い写り（くっきりの写り）の携帯送信用画像が画面上方に表示される、画面Ｄと同様の画面が表示される。また、矢印＃５，＃６の先に示す画面から「写りの設定を保存する」のメッセージが選択された場合、表示部５４５には、選択中の写りであるデフォルトの写りの携帯送信用画像が画面上方に表示される、画面Ｄと同様の画面が表示される。
【０１９９】
以上の処理により、携帯端末２の利用者は、自分が使っている携帯端末２に実際に表示される画像を見ながら、好みの写り携帯送信用画像を選択することができる。写真シール機１のモニタの特性と携帯端末２の表示部５４５の特性とが異なる場合、写真シール機１のモニタの表示を見て選択していた携帯送信用画像の写りが、携帯端末２上で見たときに自分が想定していた写りと異なることがあるが、そのような場合であっても、携帯端末２に表示される携帯送信用画像を見て好みの写りを後から選択することによって、想定通りの写りの携帯送信用画像を取得することができる。
【０２００】
［非会員、かつ２回目以降のアクセス時の例］
次に、図２０のフローチャートを参照して、携帯端末２の利用者が非会員であり、かつ、携帯端末２の利用者によるアクセスが２回目以降のアクセスである場合に管理サーバ３と携帯端末２の間で行われる処理について説明する。
【０２０１】
図２０の処理は、携帯端末２に最初に表示される携帯送信用画像が、携帯端末２の利用者が保存することを指示していた写りの写り画像である点で図１６の処理と異なる。重複する説明については適宜省略する。
【０２０２】
ステップＳ１１１において、携帯端末２の制御部５４１は、管理サーバ３にアセクスしたときに管理サーバ３から送信されてきた情報に基づいて、画像管理サイトのトップページを表示部５４５に表示させる。
【０２０３】
ステップＳ９１において、管理サーバ３の情報管理部５３１は、携帯端末２の携帯端末IDと紐付けて保存しているパラメータ情報を記憶部５１８から読み出し、携帯端末２の利用者が選択していた写りを特定する。情報管理部５３１は、特定した写りの携帯送信用画像を読み出し、携帯端末２に送信する。
【０２０４】
携帯端末２の利用者が図１８の画面Ｃ−１において「写りの設定を保存する」のメッセージを選択していた場合には、元画像より淡い写り（明るめの写り）の携帯送信用画像が送信され、画面Ｃ−２において「写りの設定を保存する」のメッセージを選択していた場合には、元画像より濃い写り（くっきりの写り）の携帯送信用画像が送信される。また、矢印＃５，＃６の先に示す画面において「写りの設定を保存する」のメッセージを選択していた場合には、デフォルトの写りの携帯送信用画像が送信される。
【０２０５】
ステップＳ１１２において、携帯端末２の制御部５４１は、管理サーバ３から送信されてきた携帯送信用画像を受信し、ステップＳ１１３において表示部５４５に表示させる。
【０２０６】
例えば、携帯端末２の利用者が元画像より淡い写り（明るめの写り）の設定を保存していた場合、画面Ａに代えて、図１９の画面Ｄが表示部５４５に表示される。また、携帯端末２の利用者がデフォルトの写りを保存していた場合、画面Ａが表示部５４５に表示される。以降の画面遷移は図１８を参照して説明した画面遷移と同様にして行われる。
【０２０７】
例えば画面Ｄの「画像の写りを変えてみる」のメッセージが選択されることによって写りを変更することが指示された場合、ステップＳ１１４において、制御部５４１は、写りの変更が指示されたことを表す情報を管理サーバ３に送信する。
【０２０８】
ステップＳ９２において、管理サーバ３の情報管理部５３１は、携帯端末２から送信されてきた情報を受信し、ステップＳ９３において、デフォルトの写りの携帯送信用画像と２枚の写り画像を携帯端末２に送信する。
【０２０９】
ステップＳ１１５において、携帯端末２の制御部５４１は、管理サーバ３から送信されてきた画像を受信し、ステップＳ１１６において表示部５４５に表示させる。
【０２１０】
デフォルトの携帯送信用画像と、パラメータ１に基づいて写りが調整された携帯送信用画像と、パラメータ２に基づいて写りが調整された携帯送信用画像の写りを確認した携帯端末２の利用者により所定の写りが選択された場合、ステップＳ１１７において、制御部５４１は、利用者により選択された写りを表すパラメータ情報を管理サーバ３に送信する。
【０２１１】
ステップＳ９４において、管理サーバ３の情報管理部５３１は、携帯端末２から送信されてきたパラメータ情報を受信し、ステップＳ９５において、携帯端末IDと紐付けて保存する。
【０２１２】
ステップＳ９６において、写り画像作成部５３２は、携帯端末IDと紐付けて保存している８枚の送信画像のうち、携帯送信用画像を除く７枚の送信画像をそれぞれ元画像として、携帯端末２の利用者により選択された写りと同じ写りになるように元画像の写りを調整し、写り画像を作成する。
【０２１３】
ステップＳ９７において、情報管理部５３１は、携帯送信用画像を除く７枚の送信画像については、元画像とした送信画像に上書きする形で、写り画像作成部５３２により作成された写り画像を保存する。例えばデフォルトの写りの設定が保存されていた場合において元画像より濃い写り（くっきりの写り）が新たに選択された場合、または、元画像より淡い写り（明るめの写り）の設定が保存されていた場合において元画像より濃い写り（くっきりの写り）が新たに選択された場合、記憶部５１８には、図１７を参照して説明したようにして画像が保存される。
【０２１４】
ステップＳ９８において、情報管理部５３１は、利用者により選択された写りの携帯送信用画像を携帯端末２に送信する。
【０２１５】
ステップＳ１１８において、携帯端末２の制御部５４１は、管理サーバ３から送信されてきた携帯送信用画像を受信し、ステップＳ１１９において表示部５４５に表示させる。
【０２１６】
以上の処理により、携帯端末２の利用者は、画像管理サイトに２回目以降にアクセスした場合、過去に保存していた写りの携帯送信用画像を最初に表示させることができる。また、保存していた写りとは異なる写りに変えることもできる。
【０２１７】
［会員、かつ初回アクセス時の第１の例］
次に、図２１のフローチャートを参照して、携帯端末２の利用者が会員であり、かつ、携帯端末２の利用者によるアクセスが初めてのアクセスである場合に管理サーバ３と携帯端末２の間で行われる処理について説明する。
【０２１８】
図１６、図１８を参照して説明したように、携帯端末２の利用者が非会員である場合、１枚の送信画像のみを携帯端末２に表示させることが可能とされるが、会員である場合、全ての送信画像を表示させることが可能とされる。
【０２１９】
ステップＳ１６１において、携帯端末２の制御部５４１は、管理サーバ３にアセクスしたとき（図１５のステップＳ４２）に管理サーバ３から送信されてきた情報に基づいて、画像管理サイトのトップページを表示部５４５に表示させる。
【０２２０】
ステップＳ１３１において、管理サーバ３の情報管理部５３１は、写真シール機１から送信されてきた全ての送信画像を記憶部５１８から読み出し、携帯端末２に送信する。携帯端末２に送信される送信画像の写りはデフォルトの写りである。
【０２２１】
ステップＳ１６２において、携帯端末２の制御部５４１は、管理サーバ３から送信されてきたデフォルトの写りの送信画像を受信し、ステップＳ１６３において表示部５４５に表示させる。
【０２２２】
デフォルトの写りの送信画像を確認した利用者により、写りを変更することが指示された場合、ステップＳ１６４において、制御部５４１は、写りの変更が指示されたことを表す情報を管理サーバ３に送信する。
【０２２３】
ステップＳ１３２において、管理サーバ３の情報管理部５３１は、携帯端末２から送信されてきた情報を受信し、ステップＳ１３３において、デフォルトの写りの携帯送信用画像と、図１５のステップＳ２５において予め作成しておいた２枚の写り画像を携帯端末２に送信する。
【０２２４】
ステップＳ１６５において、携帯端末２の制御部５４１は、管理サーバ３から送信されてきた画像を受信し、ステップＳ１６６において表示部５４５に表示させる。
【０２２５】
デフォルトの携帯送信用画像と、パラメータ１に基づいて写りが調整された携帯送信専用画像と、パラメータ２に基づいて写りが調整された携帯送信専用画像を確認した携帯端末２の利用者により所定の写りが選択された場合、ステップＳ１６７において、制御部５４１は、利用者により選択された写りを表すパラメータ情報を管理サーバ３に送信する。
【０２２６】
ステップＳ１３４において、管理サーバ３の情報管理部５３１は、携帯端末２から送信されてきたパラメータ情報を受信し、ステップＳ１３５において、携帯端末IDと紐付けて保存する。
【０２２７】
ステップＳ１３６において、写り画像作成部５３２は、携帯端末IDと紐付けて保存している８枚の送信画像のうち、携帯送信用画像を除く７枚の送信画像をそれぞれ元画像として、携帯端末２の利用者により選択された写りと同じ写りになるように元画像の写りを調整し、写り画像を作成する。
【０２２８】
ステップＳ１３７において、情報管理部５３１は、携帯送信用画像を除く７枚の送信画像については、元画像としたデフォルトの写りの送信画像に上書きする形で、写り画像作成部５３２により作成された写り画像を保存する。記憶部５１８には、図１７を参照して説明したようにして画像が保存される。
【０２２９】
ステップＳ１３８において、情報管理部５３１は、携帯送信用画像を元画像として作成した２枚の写り画像のうち、利用者により選択された写りと同じ写りの写り画像を携帯端末２に送信する。
【０２３０】
ステップＳ１６８において、携帯端末２の制御部５４１は、管理サーバ３から送信されてきた写り画像を受信し、ステップＳ１６９において表示部５４５に表示させる
【０２３１】
自身が選択した写りの携帯送信用画像を確認した携帯端末２の利用者により、写りの設定を保存することが指示された場合、ステップＳ１７０において、制御部５４１は、写りの設定の保存が指示されたことを表す情報を管理サーバ３に送信する。
【０２３２】
ステップＳ１３９において、管理サーバ３の情報管理部５３１は、携帯端末２から送信されてきた情報を受信し、利用者により選択された写りを表すパラメータ情報を携帯端末IDと紐付けて保存する。
【０２３３】
ステップＳ１４０において、情報管理部５３１は、ステップＳ１３６において全ての送信画像を元画像として作成された、利用者により選択された写りと同じ写りの写り画像を携帯端末２に送信する。元画像より濃い写り（くっきりの写り）が利用者により選択され、図１７を参照して説明したようにして、写り画像である画像１’〜８’が記憶部５１８に保存されている場合、情報管理部５３１は、画像１’〜８’を携帯端末２に送信することになる。
【０２３４】
ステップＳ１７１において、携帯端末２の制御部５４１は、管理サーバ３から送信されてきた写り画像を受信し、ステップＳ１７２において表示部５４５に表示させる。ステップＳ１７２において表示される画像は、ステップＳ１６３において制御部５４１に表示された画像と較べて写りの変更後の画像になる。
【０２３５】
図２２は、図２１の処理によって実現される携帯端末２の画面遷移の例を示す図である。図１８と重複する説明については適宜省略する。
【０２３６】
図２２の左端の画面が画像管理サイトのトップページである。「画像１枚」のメッセージが選択されたとき、デフォルトの写りの全ての送信画像が管理サーバ３から送信されてくる（図２１のステップＳ１３１）。
【０２３７】
表示部５４５の表示は、管理サーバ３から送信されてきた情報に基づいて、矢印＃１１の先に示す画面Ｅ−０に切り替わる（ステップＳ１６３）。
【０２３８】
画面Ｅ−０の上方には、携帯端末２の利用者が会員であることを表す「あなたは『会員』です」のメッセージが表示され、バナー広告などを挟んで下方に、選択中の写りがデフォルトであることを表す「選択中の写りは“デフォルト”です」のメッセージが表示される。「選択中の写りは“デフォルト”です」のメッセージの一部にはリンクが張られている。
【０２３９】
また、画面Ｅ−０の下方の枠Ｆ５１で囲む部分には、管理サーバ３から送信されてきたデフォルトの写りの１枚目の送信画像が表示される。デフォルトの写りの２〜８枚目の送信画像についても、枠Ｆ５１の下方に、縦に並べて表示される。
【０２４０】
それぞれの画像の右隣には、「手帳に保存」、「拡大」、「送信」、「ラクガキする」の文字が表示されている。それぞれの文字にはリンクが張られている。所定の送信画像が選択され、「拡大」が選択されたとき、表示部５４５には、管理サーバ３から送信されてきた情報に基づいて、選択された送信画像が拡大して表示される。
【０２４１】
このように、画面Ｅ−０には管理サーバ３から送信されてきたデフォルトの写りの送信画像がサムネイル表示される。携帯端末２の利用者は、全ての送信画像の写りを確認することができる。
【０２４２】
画面Ｅ−０から「選択中の写りは“デフォルト”です」のメッセージのリンクが張られている部分が選択されたとき、写りの変更が指示されたことを表す情報が携帯端末２から管理サーバ３に送信される（ステップＳ１６４）。管理サーバ３からは、デフォルトの写りの携帯送信用画像と２枚の写り画像が送信されてくる（ステップＳ１３３）。
【０２４３】
表示部５４５の表示は、管理サーバ３から送信されてきた情報に基づいて矢印＃１２の先に示す画面Ｇに切り替わる（ステップＳ１６６）。
【０２４４】
画面Ｇの枠Ｆ６１で囲む部分には、管理サーバ３から送信されてきた画像のうちの、パラメータ２に基づいて写りが調整された元画像より淡い写り（明るめの写り）の写り画像が表示される。枠Ｆ６１の右側には、枠Ｆ６１で囲む部分に表示された画像が、元画像より淡い写り（明るめの写り）の写り画像であることを表す「明るめの写り」のメッセージが表示される。
【０２４５】
また、枠Ｆ６２で囲む部分には、管理サーバ３から送信されてきた画像のうちのデフォルトの写りの携帯送信用画像が表示される。枠Ｆ６２の右側には、枠Ｆ６２で囲む部分に表示された画像が、デフォルトの写りの携帯送信用画像であることを表す「デフォルト」のメッセージが表示される。また、選択中の写りであることを表す「選択中」のメッセージが表示される。
【０２４６】
枠Ｆ６３で囲む部分には、管理サーバ３から送信されてきた画像のうちの、パラメータ１に基づいて写りが調整された写り画像が表示される。枠Ｆ６３の右側には、枠Ｆ６３で囲む部分に表示された画像が、元画像より濃い写り（くっきりの写り）の写り画像であることを表す「くっきりの写り」のメッセージが表示される。
【０２４７】
利用者は、写りが異なる３枚の携帯送信用画像を見比べて好みの写りを選択することができる。
【０２４８】
枠Ｆ６１の右側に表示されている「明るめの写り」のメッセージと、枠Ｆ６３の右側に表示されている「くっきりの写り」のメッセージにはそれぞれリンクが張られている。「明るめの写り」のメッセージが選択されたとき、明るめの写りが選択されたことを表すパラメータ情報が携帯端末２から管理サーバ３に送信される（ステップＳ１６７）。管理サーバ３からは、デフォルトの写りの携帯送信用画像を元画像として作成された、元画像より淡い写り（明るめの写り）の写り画像が送信されてくる（ステップＳ１３８）。
【０２４９】
表示部５４５の表示は、管理サーバ３から送信されてきた情報に基づいて、矢印＃１３の先に示す画面Ｈ−１に切り替わる（ステップＳ１６９）。
【０２５０】
画面Ｈ−１は、図１８の画面Ｃ−１と同じ画面である。画面Ｈ−１の枠Ｆ７１で囲む部分には元画像より淡い写り（明るめの写り）の携帯送信用画像が表示される。画面Ｈ−１の「デフォルトに戻す」のメッセージと「くっきりの写り」のメッセージにはそれぞれリンクが張られている。「くっきりの写り」のメッセージが選択されたとき、画面Ｇから「くっきりの写り」のメッセージが選択された場合と同様にして、表示部５４５の表示は画面Ｈ−２に切り替わる。
【０２５１】
画面Ｈ−１の「デフォルトに戻す」のメッセージが選択されたとき、デフォルトの写りが選択されたことを表すパラメータ情報が携帯端末２から管理サーバ３に送信され、携帯端末２からパラメータ情報が送信されてくることに応じて、デフォルトの写りの携帯送信用画像が管理サーバ３から送信されてくる。
【０２５２】
表示部５４５の表示は、管理サーバ３から送信されてきた情報に基づいて、デフォルトの写りの携帯送信用画像が表示される図２３の画面Ｈ−０に切り替わる。画面Ｈ−０は、図１８の右端の画面と同じである。画面Ｈ−０の枠Ｆ９１で囲む部分に表示されるデフォルトの写りの携帯送信用画像の下には、「明るめの写り」のメッセージと「くっきりの写り」のメッセージが表示される。
【０２５３】
「明るめの写り」のメッセージが選択されたとき、画面Ｈ−２から「明るめの写り」のメッセージが選択された場合と同様に、表示部５４５の表示は画面Ｈ−１に切り替わる。
また、「くっきりの写り」のメッセージが選択されたとき、画面Ｈ−１から「くっきりの写り」のメッセージが選択された場合と同様に、表示部５４５の表示は画面Ｈ−２に切り替わる。
【０２５４】
一方、画面Ｇの「くっきりの写り」のメッセージが選択されたとき、元画像より濃い写り（くっきりの写り）が選択されたことを表すパラメータ情報が携帯端末２から管理サーバ３に送信される（ステップＳ１６７）。管理サーバ３からは、デフォルトの写りの携帯送信用画像を元画像として作成された、元画像より濃い写り（くっきりの写り）の写り画像が送信されてくる（ステップＳ１３８）。
【０２５５】
表示部５４５の表示は、管理サーバ３から送信されてきた情報に基づいて、矢印＃１４の先に示す画面Ｈ−２に切り替わる（ステップＳ１６９）。
【０２５６】
画面Ｈ−２は、図１８の画面Ｃ−２と同じ画面である。画面Ｈ−２の枠Ｆ７２で囲む部分には元画像より濃い写り（くっきりの写り）の携帯送信用画像が表示される。画面Ｈ−２の「明るめの写り」のメッセージと「デフォルトに戻す」のメッセージにはそれぞれリンクが張られている。「明るめの写り」のメッセージが選択されたとき、画面Ｇから「明るめの写り」のメッセージが選択された場合と同様にして、表示部５４５の表示は画面Ｈ−１に切り替わる。
【０２５７】
画面Ｈ−２の「デフォルトに戻す」のメッセージが選択されたとき、画面Ｈ−１から「デフォルトに戻す」のメッセージが選択された場合と同様に、デフォルトの写りが選択されたことを表すパラメータ情報が携帯端末２から管理サーバ３に送信され、携帯端末２からパラメータ情報が送信されてくることに応じて、デフォルトの写りの携帯送信用画像が管理サーバ３から送信されてくる。表示部５４５の表示は、管理サーバ３から送信されてきた情報に基づいて、図２３の画面Ｈ−０に切り替わる。
【０２５８】
元画像より淡い写り（明るめの写り）を選択しているときの画面である画面Ｈ−１、元画像より濃い写り（くっきりの写り）の写りを選択しているときの画面である画面Ｈ−２、および、デフォルト写りを選択しているときの画面である画面Ｈ−０のそれぞれの下方には「写りの設定を保存する」のメッセージが表示されている。
【０２５９】
「写りの設定を保存する」のメッセージにはリンクが張られており、このメッセージが選択された場合、写りの設定を保存することが指示されたことを表す情報が携帯端末２から管理サーバ３に送信され（図２１のステップＳ１７０）、携帯端末２の利用者が保存することを指示した写りを表すパラメータ情報が携帯端末IDと紐付けて保存される（図２１のステップＳ１３９）。
【０２６０】
管理サーバ３に保存された写りの設定は、画像管理サイトに２回目以降にアクセスしたときに用いられる。
【０２６１】
また、「写りの設定を保存する」のメッセージが選択され、そのことを表す情報が携帯端末２から管理サーバ３に送信されたことに応じて、管理サーバ３からは、全ての送信画像を元画像として作成された、利用者により選択された写りと同じ写りの写り画像が送信されてくる（ステップＳ１４０）。
【０２６２】
表示部５４５の表示は、管理サーバ３から送信されてきた情報に基づいて、それまでの表示が画面Ｈ−１である場合には矢印＃１５の先に示すように、一方、画面Ｈ−２である場合には矢印＃１６の先に示すように、画面Ｉに切り替わる（ステップＳ１７２）。
【０２６３】
画面Ｉの上方には、写りが変更されたことを表す「写りが変更されました」のメッセージが表示される。画面Ｉの枠Ｆ８１で囲む部分には、利用者が選択した写りと同じ写りの１枚目の送信画像が表示される。２〜８枚目の送信画像についても、枠Ｆ８１の下方に、１枚目の送信画像と同じ写りの送信画像が縦に並べて表示される。
【０２６４】
これにより、携帯端末２の利用者は、自分が選択した写りの全ての送信画像を確認することができる。
【０２６５】
［会員、かつ２回目以降のアクセス時の第１の例］
携帯端末２の利用者が会員であり、かつ、携帯端末２の利用者によるアクセスが２回目以降のアクセスである場合に管理サーバ３と携帯端末２の間で行われる処理は、管理サーバ３から携帯端末２に対して最初に送信される送信画像が、携帯端末２の利用者が保存していた写りの画像である点を除いて図２１の処理と同じである。
【０２６６】
管理サーバ３の情報管理部５３１は、携帯端末２の携帯端末IDと紐付けて保存しているパラメータ情報を記憶部５１８から読み出し、携帯端末２の利用者が選択していた写りを特定する。情報管理部５３１は、デフォルトの写りの送信画像を送信することに代えて、特定した写りの送信画像を送信することになる。
【０２６７】
携帯端末２の利用者が元画像より濃い写り（くっきりの写り）の設定を保存していた場合、携帯端末２の表示部５４５には、画面Ｅ−０に代えて、図２４の画面Ｅ−１が表示される。
【０２６８】
画面Ｅ−１の上方には、携帯端末２の利用者が会員であることを表す「あなたは『会員』です」のメッセージが表示され、バナー広告などを挟んで下方に、選択中の写りが元画像より濃い写り（くっきりの写り）であることを表す「選択中の写りは“くっきりの写り”です」のメッセージが表示されている。
【０２６９】
また、画面Ｅ−１の下方の枠Ｆ５１で囲む部分には、管理サーバ３から送信されてきた元画像より濃い写り（くっきりの写り）の１枚目の送信画像が表示される。元画像より濃い写り（くっきりの写り）の２〜８枚目の送信画像についても、枠Ｆ５１の下方に、縦に並べて表示される。
【０２７０】
一方、携帯端末２の利用者が元画像より淡い写り（明るめの写り）の設定を保存していた場合、携帯端末２の表示部５４５には、画面Ｅ−０に代えて、図２４の画面Ｅ−２が表示される。
【０２７１】
画面Ｅ−２の上方には、携帯端末２の利用者が会員であることを表す「あなたは『会員』です」のメッセージが表示され、バナー広告などを挟んで下方に、選択中の写りが元画像より淡い写り（明るめの写り）であることを表す「選択中の写りは“明るめの写り”です」のメッセージが表示されている。
【０２７２】
また、画面Ｅ−２の下方の枠Ｆ５１で囲む部分には、管理サーバ３から送信されてきた元画像より淡い写り（明るめの写り）の１枚目の送信画像が表示される。元画像より淡い写り（明るめの写り）の２〜８枚目の送信画像のサムネイル画像についても、枠Ｆ５１の下方に、縦に並べて表示される。
【０２７３】
［会員、かつ初回アクセス時の第２の例］
次に、図２５のフローチャートを参照して、携帯端末２の利用者が会員であり、かつ、携帯端末２の利用者によるアクセスが初めてのアクセスである場合に管理サーバ３と携帯端末２の間で行われる他の処理について説明する。
【０２７４】
図２５の例においても、会員であることから、携帯端末２の利用者は、携帯送信用画像だけでなく、全ての送信画像を表示部５４５に表示させることができる。以上においては全ての送信画像が同じ写りになるように写りの調整が行われるものとしたが、図２５の例においては、送信画像毎に、写りを調整することが可能とされる。
【０２７５】
ステップＳ２３１において、携帯端末２の制御部５４１は、管理サーバ３にアセクスしたとき（図１５のステップＳ４２）に管理サーバ３から送信されてきた情報に基づいて、画像管理サイトのトップページを表示部５４５に表示させる。
【０２７６】
ステップＳ２０１において、管理サーバ３の情報管理部５３１は、写真シール機１から送信されてきた全ての送信画像を記憶部５１８から読み出し、携帯端末２に送信する。携帯端末２に送信される送信画像の写りはデフォルトの写りである。
【０２７７】
ステップＳ２３２において、携帯端末２の制御部５４１は、管理サーバ３から送信されてきたデフォルトの写りの送信画像を受信し、ステップＳ２３３において表示部５４５に表示させる。表示部５４５には全ての送信画像がサムネイル画像として一覧表示される。
携帯端末２の利用者は、サムネイル画像を指定することによって所定の送信画像を選択し、その拡大表示を指示することができる。
【０２７８】
デフォルトの写りの送信画像を確認した利用者により、所定の送信画像が選択され、拡大表示が指示された場合、ステップＳ２３４において、制御部５４１は、拡大表示が指示された画像を表す情報として例えば画像IDを管理サーバ３に送信する。
【０２７９】
ステップＳ２０２において、管理サーバ３の情報管理部５３１は、携帯端末２から送信されてきた情報を受信し、ステップＳ２０３において、拡大表示が指示されたデフォルトの写りの送信画像を携帯端末２に送信する。
【０２８０】
ステップＳ２３５において、携帯端末２の制御部５４１は、管理サーバ３から送信されてきた送信画像を受信し、ステップＳ２３６において表示部５４５に表示させる。表示部５４５には、複数のサムネイル画像が表示される画面に代えて、選択された送信画像のみが拡大して表示される。携帯端末２の利用者は、拡大表示させている送信画像の写りの変更を指示することができる。
【０２８１】
携帯端末２の利用者により写りを変更することが指示された場合、ステップＳ２３７において、制御部５４１は、写りの変更が指示されたことを表す情報を管理サーバ３に送信する。
【０２８２】
ステップＳ２０４において、管理サーバ３の情報管理部５３１は、携帯端末２から送信されてきた情報を受信する。ステップＳ２０５において、写り画像作成部５３２は、写真シール機１から送信されてきた８枚の送信画像のうち、写りの変更が指示された送信画像を携帯端末２から送信されてきた画像IDに基づいて特定する。写り画像作成部５３２は、特定した送信画像を元画像として、パラメータ１とパラメータ２の複数のパラメータに基づいて写り画像を作成する。
【０２８３】
ステップＳ２０６において、情報管理部５３１は、写りの変更が指示された送信画像について、デフォルトの写りの送信画像と、パラメータ１に基づいて写りを調整することによって得られた元画像より濃い写り（くっきりの写り）の写り画像と、パラメータ２に基づいて写りを調整することによって得られた元画像より淡い写り（明るめの写り）の写り画像を携帯端末２に送信する。
【０２８４】
ステップＳ２３８において、携帯端末２の制御部５４１は、管理サーバ３から送信されてきた画像を受信し、ステップＳ２３９において表示部５４５に表示させる。
【０２８５】
デフォルトの送信画像と、パラメータ１に基づいて写りが調整された送信画像と、パラメータ２に基づいて写りが調整された送信画像を確認した携帯端末２の利用者により所定の写りが選択された場合、ステップＳ２４０において、制御部５４１は、利用者により選択された写りを表すパラメータ情報を管理サーバ３に送信する。
【０２８６】
ステップＳ２０７において、管理サーバ３の情報管理部５３１は、携帯端末２から送信されてきたパラメータ情報を受信し、ステップＳ２０８において、写りを変更した送信画像の画像IDとともに、携帯端末IDと紐付けて保存する。管理サーバ３の情報管理部５３１は、携帯端末IDから、携帯端末２の利用者が写りの変更を指示した画像と、変更後の写りを特定することが可能になる。
【０２８７】
ステップＳ２０９において、情報管理部５３１は、写りを変更した送信画像については、記憶部５１８に保存されているデフォルトの写りの送信画像に上書きする形で、ステップＳ２０５において写り画像作成部５３２により作成された写り画像を保存する。
【０２８８】
これにより、利用者により選択された１枚の送信画像の写り画像が作成され、記憶部５１８に保存されることになる。それぞれの送信画像を対象として、管理サーバ３によりステップＳ２０２乃至Ｓ２０９の処理が繰り返され、携帯端末２によりステップＳ２３４乃至Ｓ２４０の処理が繰り返されることによって、記憶部５１８には、送信画像毎に適宜異なるパラメータを用いて作成された写り画像が保存される。
【０２８９】
図２６は、記憶部５１８に保存される画像について説明する図である。
【０２９０】
図１７の場合と同様に、写真シール機１から送信されてきた８枚の送信画像をそれぞれ画像１〜８として説明する。写真シール機１から送信されてきた直後においては、デフォルトの写りの画像１〜８が記憶部５１８に保存されている状態になる。携帯送信用画像であるデフォルトの写りの画像１を元画像として画像１’と画像１’’が作成され（図１５のステップＳ２５，Ｓ２６）、記憶部５１８に保存される。
【０２９１】
図２６の例においては、画像２〜４については、それらの画像の写りとして元画像より濃い写り（くっきりの写り）が選択されたことから、パラメータ１に基づいて作成された画像２’〜４’が、それまでに保存されていた画像２〜４に上書きする形で保存されている（図２５のステップＳ２０６）。
【０２９２】
同様に、画像５〜７については、それらの画像の写りとして元画像より淡い写り（明るめの写り）が選択されたことから、パラメータ２に基づいて作成された画像５’’〜７’’が、それまでに保存されていた画像５〜７に上書きする形で保存されている。画像８については、デフォルトの写りのままとされている。
【０２９３】
図２５の説明に戻り、ステップＳ２１０において、情報管理部５３１は、利用者により選択された送信画像を元画像として作成した２枚の写り画像のうち、利用者により選択された写りと同じ写りの写り画像を携帯端末２に送信する。
【０２９４】
ステップＳ２４１において、携帯端末２の制御部５４１は、管理サーバ３から送信されてきた写り画像を受信し、ステップＳ２４２において表示部５４５に表示させる。
【０２９５】
図２７は、図２５の処理によって実現される携帯端末２の画面遷移の例を示す図である。図１８、図２２と重複する説明については適宜省略する。
【０２９６】
画像管理サイトのトップページから「画像１枚」のメッセージが選択されたとき、デフォルトの写りの全ての送信画像が管理サーバ３から送信されてくる（図２５のステップＳ２０１）。表示部５４５の表示は、管理サーバ３から送信されてきた情報に基づいて、矢印＃２１の先に示す画面Ｅ−０に切り替わる（ステップＳ２３３）。図２７の画面Ｅ−０は、図２２の画面Ｅ−０と同じ画面である。
【０２９７】
例えば枠Ｆ５１で囲む部分に表示されている１枚目の送信画像が選択され、１枚目の送信画像の拡大表示が指示されたとき、拡大表示が指示されたことを表す情報が携帯端末２から管理サーバ３に送信される（ステップＳ２３４）。管理サーバ３からは、選択された送信画像が送信されてくる（ステップＳ２０３）。
【０２９８】
表示部５４５の表示は、管理サーバ３から送信されてきた情報に基づいて、矢印＃２２の先に示す画面Ｆ−０に切り替わる（ステップＳ２３６）。
【０２９９】
画面Ｆ−０の上方には、拡大表示されている送信画像についての選択中の写りがデフォルトであることを表す「選択中の写りは“デフォルト”です」のメッセージが表示されている。「選択中の写りは“デフォルト”です」のメッセージの下の枠Ｆ１０１で囲む部分には、画面Ｅ−０から利用者が選択した送信画像が拡大表示される。
【０３００】
送信画像の下には、枠Ｆ１０１で囲む部分に表示される送信画像の写りを変更することができることを表す「画像を自分好みにカスタマイズ」のメッセージが表示され、その下に、「画像の写りを変えてみる」のメッセージが表示される。
【０３０１】
「画像の写りを変えてみる」のメッセージが選択されたとき、写りの変更が指示されたことを表す情報が携帯端末２から管理サーバ３に送信される（ステップＳ２３７）。管理サーバ３からは、選択された送信画像について、デフォルトの写りの送信画像と２枚の写り画像が送信されてくる（ステップＳ２０６）。
【０３０２】
表示部５４５の表示は、管理サーバ３から送信されてきた情報に基づいて、矢印＃２３の先に示す画面Ｇに切り替わる（ステップＳ２３９）。
【０３０３】
画面Ｇの枠Ｆ６１，Ｆ６２，Ｆ６１で囲む部分には、それぞれ、携帯端末２の利用者により選択された送信画像についての、元画像より淡い写り（明るめの写り）の写り画像と、デフォルトの写りの送信画像と、元画像より濃い写り（くっきりの写り）の写り画像が表示される。画面Ｇが表示された後の画面遷移は、図２２の画面Ｇが表示された後の画面遷移と同じである。
【０３０４】
携帯端末２の利用者は、全ての送信画像がサムネイル画像として表示される一覧から所定の送信画像を選択して拡大表示させることができ、拡大表示の画面から、拡大表示させた送信画像の写りの変更を指示することができる。また、写りの変更を指示した後に表示される画面から、写りが異なる３枚の画像を見比べることができる。このような操作を繰り返すことによって、送信画像毎に、好みの写りを選択することが可能になる。
【０３０５】
［会員、かつ２回目以降のアクセス時の第２の例］
携帯端末２の利用者が会員であり、かつ、携帯端末２の利用者によるアクセスが２回目以降のアクセスである場合に管理サーバ３と携帯端末２の間で行われる処理は、管理サーバ３から携帯端末２に対して最初に送信される全ての送信画像が、携帯端末２の利用者が画像毎に保存していた写りの画像である点を除いて図２５の処理と同じである。
【０３０６】
管理サーバ３の情報管理部５３１は、携帯端末２の携帯端末IDと紐付けて保存しておいた、写りを変更した送信画像の画像IDと、変更後の写りを表すパラメータ情報を記憶部５１８から読み出し、携帯端末２の利用者が画像毎に選択していた写りを特定する。情報管理部５３１は、デフォルトの写りの送信画像を送信することに代えて、携帯端末２の利用者が画像毎に選択していた写りの全ての送信画像を送信することになる。
【０３０７】
携帯端末２の表示部５４５には、図２７の画面Ｅ−０に代えて、図２８の画面Ｅ−１が表示される。また、画面Ｅ−１において枠Ｆ５１で囲む部分に表示されている１枚目の送信画像が選択され、１枚目の送信画像の拡大表示が指示されたとき、矢印＃３１の先に示すように、携帯端末２の表示部５４５には画面Ｆ−１が表示される。
【０３０８】
画面Ｆ−１の枠Ｆ１０１で囲む部分には、元画像より濃い写り（くっきりの写り）の１枚目の送信画像が拡大表示される。この例においては、１枚目の送信画像の写りとして元画像より濃い写り（くっきりの写り）を携帯端末２の利用者が選択していたものとされている。
【０３０９】
携帯端末２の利用者は、画面Ｆ−１から「画像の写りを変えてみる」のメッセージを選択することによって、拡大表示されている１枚目の送信画像の写りを変更することができる。画面Ｆ−１が表示された後の画面遷移は、図２７の画面Ｆ−０が表示された後の画面遷移と同様である。
【０３１０】
一方、図２９に示すように、１枚目の送信画像の写りとして携帯端末２の利用者が元画像より淡い写り（明るめの写り）を選択していた場合において、画面Ｅ−１において枠Ｆ５１で囲む部分に表示されている１枚目の送信画像の拡大表示を指示したとき、矢印＃４１の先に示すように、携帯端末２の表示部５４５には画面Ｆ−２が表示される。
【０３１１】
画面Ｆ−２の枠Ｆ１０１で囲む部分には、元画像より淡い写り（明るめの写り）の１枚目の送信画像が拡大表示される。携帯端末２の利用者は、画面Ｆ−２から「画像の写りを変えてみる」のメッセージを選択することによって、拡大表示されている１枚目の送信画像の写りを変更することができる。画面Ｆ−２が表示された後の画面遷移は、図２７の画面Ｆ−０が表示された後の画面遷移と同様である。
【０３１２】
［３−２．実施例２］
図１５の処理においては、携帯送信用画像として選択された１枚の送信画像を元画像として写り画像を作成しておくものとしたが、全ての送信画像を元画像として、写り画像を予め作成しておくようにしてもよい。
【０３１３】
図３０のフローチャートを参照して、全ての送信画像を元画像として写り画像を予め作成しておく場合の情報処理システムの処理について説明する。図３０の処理は、写り画像の作成の仕方が異なる点を除いて図１５の処理と同様である。重複する説明については適宜省略する。
【０３１４】
ステップＳ２６１において、写真シール機１の制御部２０１は撮影空間Ａ１での処理を行う。制御部２０１は、撮影部２０８を制御して撮影処理を行い、カメラ９１による撮影を所定の回数繰り返し行わせる。
【０３１５】
ステップＳ２６２において、制御部２０１は、編集空間Ａ２−１またはＡ２−２での処理を行い、編集済みの撮影画像、または編集が施されていない撮影画像と、撮影画像に割り当てた画像IDとを管理サーバ３に送信する。
【０３１６】
ステップＳ２６３において、制御部２０１は、携帯端末２の携帯端末IDとメールアドレスを取得し、ステップＳ２６４において管理サーバ３に送信する。
【０３１７】
ステップＳ２６５において、制御部２０１は、携帯送信用画像の選択画面をタブレット内蔵モニタ１６１に表示し、携帯端末２の利用者による携帯送信用画像の選択を受け付ける。
【０３１８】
ステップＳ２６６において、制御部２０１は、携帯送信用画像として選択された撮影画像の画像IDを携帯送信フラグとともに管理サーバ３に送信する。
【０３１９】
撮影画像または編集画像の印刷が終了したとき、ステップＳ２６７において、制御部２０１は、画像が印刷されたシール紙をシール紙排出口１６４に排出し、処理を終了させる。
【０３２０】
管理サーバ３の情報管理部５３１は、ステップＳ２８１において、写真シール機１から送信されてきた送信画像と画像IDを受信し、ステップＳ２８２において、写真シール機１から送信されてきた携帯端末IDとメールアドレスを受信する。また、ステップＳ２８３において、情報管理部５３１は、写真シール機１から送信されてきた携帯送信用画像の画像IDと携帯送信フラグを受信する。
【０３２１】
ステップＳ２８４において、情報管理部５３１は、携帯送信フラグ、画像ID、写真シール機１から送信されてきた送信画像、携帯端末ID、およびメールアドレスを紐付けて記憶部５１８に保存する。
【０３２２】
ステップＳ２８５において、写り画像作成部５３２は、写真シール機１から送信されてきた送信画像をそれぞれ元画像として、複数のパラメータに基づいて写り画像を作成し、ステップＳ２８６において、携帯端末IDと紐付けて記憶部５１８に保存する。
【０３２３】
図３１は、記憶部５１８に保存される画像について説明する図である。
【０３２４】
図１７の場合と同様に、写真シール機１から送信されてきた８枚の送信画像をそれぞれ画像１〜８として説明する。写真シール機１から送信されてきた直後においては、デフォルトの写りの画像１〜８が記憶部５１８に保存されている状態になる。画像１〜８のうちの画像１が携帯送信用画像として選択されているものとする。
【０３２５】
この場合、図３１に示すように、画像１〜８のそれぞれの送信画像を元画像として、パラメータ１に基づいて画像１’〜８’が作成されるとともに、パラメータ２に基づいて画像１’’〜８’’が作成される。画像１〜８のそれぞれの送信画像の写り画像である画像１’〜８’と画像１’’〜８’は記憶部５１８に保存される（図３０のステップＳ２８５，Ｓ２８６）。
【０３２６】
このように、全ての送信画像について、複数のパラメータを用いて写り画像を予めしておくことにより、記憶部５１８に保存しておく必要のある画像のデータ量は多くなるものの、写りが選択される毎に写り画像を作成する必要がなく、携帯端末２の画面表示の迅速な切り替えが可能になる。
【０３２７】
図３０の説明に戻り、ステップＳ２８７において、情報管理部５３１は、送信画像と写り画像の保存先にURLを割り当て、画像保存先URLを含む電子メールを携帯端末２に送信する。
【０３２８】
ステップＳ３０１において、携帯端末２の制御部５４１は、管理サーバ３から送信されてきた電子メールを受信する。
【０３２９】
画像保存先URLに対するアクセスが利用者により指示された場合、ステップＳ３０２において、制御部５４１は管理サーバ３にアクセスする。
【０３３０】
ステップＳ２８８において、情報管理部５３１は、携帯端末２から送信されてきた携帯端末IDを受信し、ステップＳ２８９において、携帯端末２によるアクセスが初めてのアクセスであるのか、２回目以降のアクセスであるのかの判定と、携帯端末２の利用者が会員登録済みの利用者であるのか、非会員の利用者であるのかの判定を行う。
【０３３１】
その後、管理サーバ３と携帯端末２の間で、ステップＳ２８９の判定結果に応じた処理が行われる。管理サーバ３と携帯端末２の間で行われる処理は、図１６、図２０、図２１、図２５等を参照して説明した処理と同様である。上述した携帯端末２における画面遷移が、ステップＳ２８５において予め作成しておいた写り画像を適宜用いて実現される。
【０３３２】
以下のパラメータを管理サーバ３に用意しておいてもよい。
・明度を調整した複数のパラメータ（明度を上げて明るくするパラメータ、明度を下げて暗くするパラメータ）
・色相を調整した複数のパラメータ（例えば、色相を赤味よりにしたパラメータ、色相を黄味よりにしたパラメータ、色相を青味よりにしたパラメータ）
・コントラストを調整した複数のパラメータ（コントラストを上げてシャープで鮮やかにするパラメータ、コントラストを下げてふんわりとした柔らかにするパラメータ）
【０３３３】
また、彩度・明度・色相・コントラストのいずれかを組み合せた複数のパラメータを用意してもよい。
【０３３４】
写真シール機１で明るさ（ex.５段階）を選択して撮影し、携帯送信時にその明るさの数値を管理サーバ３に送信するようにしてもよい。これにより、管理サーバ３は、利用者の明るさの趣向を把握することができる。
【０３３５】
明るさ調整前の画像と、その明るさの数値を管理サーバ３に送信するようにしてもよい。これにより、写真シール機１で最も明るい明るさが選択された場合に、管理サーバ３において元画像よりもさらに明るい画像は作成せずに、下記１〜３の画像を作成するといったことが可能となる。
１．元画像
２．元画像より明度を下げた画像
３．上記２の画像よりもさらに明度を下げた画像。
【０３３６】
これにより、携帯端末２で写り画像を選択する際に、明るすぎて白とびするのを防ぐことができる。
【０３３７】
また、写真シール機１で最も暗い明るさが選択された場合に、管理サーバ３において元画像よりもさらに暗い画像は作成せずに、下記１〜３の画像を作成するといったことが可能となる。
１．元画像
２．元画像より明度を上げた画像
３．上記２の画像よりもさらに明度を上げた画像
【０３３８】
これにより、携帯端末２で写り画像を選択する際に、暗すぎて黒とびするのを防ぐことができる。
【０３３９】
［３−３．実施例３］
携帯端末の機種毎にパラメータが用意されるようにしてもよい。写り画像の作成時、管理サーバ３は、写り画像の送信先となる携帯端末の機種を特定し、特定した機種用のパラメータを用いて写り画像を作成することになる。
【０３４０】
図３２のフローチャートを参照して、携帯端末の機種毎のパラメータが用意されている場合の情報処理システムの処理について説明する。図３２の処理は、写り画像の作成に用いるパラメータが異なる点を除いて、基本的に図３０の処理と同様である。重複する説明については適宜省略する。
【０３４１】
ステップＳ３２１において、写真シール機１の制御部２０１は撮影空間Ａ１での処理を行う。制御部２０１は、撮影部２０８を制御して撮影処理を行い、カメラ９１による撮影を所定の回数繰り返し行わせる。
【０３４２】
ステップＳ３２２において、制御部２０１は、編集空間Ａ２−１またはＡ２−２での処理を行い、編集済みの撮影画像、または編集が施されていない撮影画像と、撮影画像に割り当てた画像IDとを管理サーバ３に送信する。
【０３４３】
ステップＳ３２３において、制御部２０１は、携帯端末２の携帯端末IDとメールアドレスを取得し、ステップＳ３２４において管理サーバ３に送信する。
【０３４４】
ステップＳ３２５において、制御部２０１は、携帯送信用画像の選択画面をタブレット内蔵モニタ１６１に表示し、携帯端末２の利用者による携帯送信用画像の選択を受け付ける。
【０３４５】
ステップＳ３２６において、制御部２０１は、携帯送信用画像として選択された撮影画像の画像IDを携帯送信フラグとともに管理サーバ３に送信する。
【０３４６】
撮影画像または編集画像の印刷が終了したとき、ステップＳ３２７において、制御部２０１は、画像が印刷されたシール紙をシール紙排出口１６４に排出し、処理を終了させる。
【０３４７】
管理サーバ３の情報管理部５３１は、ステップＳ３４１において、写真シール機１から送信されてきた送信画像と画像IDを受信し、ステップＳ３４２において、写真シール機１から送信されてきた携帯端末IDとメールアドレスを受信する。また、ステップＳ３４３において、情報管理部５３１は、写真シール機１から送信されてきた携帯送信用画像の画像IDと携帯送信フラグを受信する。
【０３４８】
ステップＳ３４４において、情報管理部５３１は、携帯送信フラグ、画像ID、写真シール機１から送信されてきた送信画像、携帯端末ID、およびメールアドレスを紐付けて記憶部５１８に保存する。
【０３４９】
ステップＳ３４５において、写り画像作成部５３２は、写真シール機１から送信されてきた携帯端末IDに基づいて携帯端末２の機種を特定する。また、写り画像作成部５３２は、例えば記憶部５１８に保存されているパラメータの中から、携帯端末２の機種用のパラメータを読み出し、取得する。例えば、携帯端末IDと機種の対応関係を表す情報が記憶部５１８に記憶されており、写り画像作成部５３２による機種の特定は、記憶部５１８に記憶されている情報に基づいて行われる。
【０３５０】
ステップＳ３４６において、写り画像作成部５３２は、写真シール機１から送信されてきた全ての送信画像をそれぞれ元画像として、ステップＳ３４５において取得したパラメータに基づいて写り画像を作成し、ステップＳ３４７において、それまで保存していた送信画像に上書きする形で、携帯端末IDと紐付けて記憶部５１８に保存する。
【０３５１】
図３３は、記憶部５１８に保存される画像について説明する図である。
【０３５２】
図１７の場合と同様に、写真シール機１から送信されてきた８枚の送信画像をそれぞれ画像１〜８として説明する。写真シール機１から送信されてきた直後においては、ある携帯端末の利用者用の画像として、デフォルトの写りの画像１〜８が記憶部５１８に保存されている状態になる。
【０３５３】
図３３の例においては、機種Ａ用のパラメータとしてパラメータ１が用意され、機種Ｂ用のパラメータとしてパラメータ２が用意されている。同様に、それぞれの携帯端末の機種用のパラメータが用意される。
【０３５４】
機種毎のパラメータが用意されるのではなく、携帯端末のメーカー毎、通信会社毎のパラメータが用意されるようにしてもよい。また、同じ機種でも、製造時期や製造番号毎に異なるパラメータが用意されるようにしてもよい。
【０３５５】
さらに、１つの機種に対して１つのパラメータが用意されるのではなく、１つの機種に対して複数のパラメータが用意されるようにしてもよい。
【０３５６】
例えば、携帯端末２の機種が機種Ａであると特定された場合、記憶部５１８には、画像１〜８のそれぞれを元画像としてパラメータ１に基づいて作成された画像１’〜８’が画像１〜８に上書きする形で保存される。
【０３５７】
このように、機種毎にパラメータを用意しておき、機種毎のパラメータに基づいて作成した写り画像を提供することにより、それぞれの携帯端末に適した写りの画像を提供することができる。通常、携帯端末毎に、使われているモニタの特性は異なる。ある機種に適したパラメータで作成した写り画像が、他の機種の携帯端末のモニタに表示させたときに適した写りでないこともあるがそのようなことを防ぐことができる。
【０３５８】
また、上述したような写りの選択を携帯端末２上で行う必要がないことから、携帯端末２の利用者が画像管理サイトの使い方に慣れていないような場合であっても、容易に、利用者の携帯端末に適した画像を提供することができる。
【０３５９】
図３２の説明に戻り、ステップＳ３４８において、情報管理部５３１は、送信画像と写り画像の保存先にURLを割り当て、画像保存先URLを含む電子メールを携帯端末２に送信する。
【０３６０】
ステップＳ３７１において、携帯端末２の制御部５４１は、管理サーバ３から送信されてきた電子メールを受信する。
【０３６１】
画像保存先URLに対するアクセスが利用者により指示された場合、ステップＳ３７２において、制御部５４１は管理サーバ３にアクセスし、ステップＳ３７３において画像管理サイトのトップページを表示部５４５に表示させる。
【０３６２】
ステップＳ３５０において、管理サーバ３の情報管理部５３１は、携帯端末２用のパラメータを用いて写りを調整した携帯送信用画像を記憶部５１８から読み出し、携帯端末２に送信する。携帯送信用画像として選択された送信画像のみが送信されるのではなく、例えば携帯端末２の利用者が会員である場合には、携帯端末２用のパラメータを用いて写りを調整した全ての送信画像が送信されるようにしてもよい。
【０３６３】
ステップＳ３７４において、携帯端末２の制御部５４１は、管理サーバ３から送信されてきた携帯送信用画像を受信し、ステップＳ３７５において表示部５４５に表示させる。
【０３６４】
［３−４．実施例４］
携帯端末の機種に応じたパラメータを用いて写りの調整を行うのではなく、写真シール機の機種に応じたパラメータを用いて写りの調整を行うようにしてもよい。写り画像の作成時、管理サーバ３は、送信画像を送信してきた写真シール機の機種を特定し、特定した機種用のパラメータを用いて写り画像を作成することになる。写真シール機の機種は、例えば送信画像とともに送信されてきた写真シール機のIDに基づいて特定される。
【０３６５】
図３４は、写真シール機の機種に応じたパラメータの例を示す図である。
【０３６６】
図３４の例においては、写真シール機の機種Ａ用のパラメータとしてパラメータ１−１とパラメータ１−２が用意されている。機種Ａの写真シール機が作成する画像の写りをデフォルトの写りとすると、パラメータ１−１は、デフォルトの写りより濃い写り（くっきりの写り）の画像を作成するのに用いられるパラメータである。パラメータ１−２は、デフォルトの写りより淡い写り（明るめの写り）の画像を作成するのに用いられるパラメータである。
【０３６７】
同様に、写真シール機の機種Ｂ用のパラメータとしてパラメータ２−１とパラメータ２−２が用意されている。機種Ｂの写真シール機が作成する画像の写りをデフォルトの写りとすると、パラメータ２−１は、デフォルトの写りより濃い写りの画像を作成するのに用いられるパラメータであり、パラメータ１−２は、デフォルトの写りより淡い写りの画像を作成するのに用いられるパラメータである。
【０３６８】
同様に、写真シール機のそれぞれの機種用のパラメータが用意される。同じ写真シール機の機種でも、製造時期や製造番号毎に異なるパラメータが用意されるようにしてもよい。
【０３６９】
機種Ａの写真シール機により作成される画像の特徴が「ふんわりとした色合いの写り」であり、機種Ｂの写真シール機により作成される画像の特徴が「くっきりとした色合いの写り」である場合を考える。機種Ａの写真シール機により作成された画像と機種Ｂの写真シール機により作成された画像を元に、同じパラメータを用いて写り画像を作成した場合、各画像に適した写り画像を作成できるとは限らない。
【０３７０】
写真シール機の機種に応じたパラメータを用意することによって、各画像に適した写り画像を作成し、提供することが可能になる。
【０３７１】
携帯端末の機種に応じたパラメータ、または写真シール機の機種に応じたパラメータを用いて写りの調整が行われるのではなく、携帯端末の機種と写真シール機の機種との組み合わせ毎にパラメータが用意され、それを用いて写りの調整が行われるようにしてもよい。
【０３７２】
［３−５．変形例］
図１８の画面Ｂ等を参照して説明したように、以上においては、携帯端末２に表示される写りの選択画面に表示される画像が、写真シール機１から管理サーバ３に送信された送信画像を元に作成された写り画像であるものとしたが、１枚のモデル合成アップ画像を元画像として作成された写り画像が表示されるようにしてもよい。携帯端末２の利用者は、元画像のモデル合成アップ画像と、その画像を元画像として作成された写り画像を見て好みの写りを選択することになる。モデル合成アップ画像は、合成用の画像と、モデルの人が大きく（アップで）写っている画像とを合成して得られた画像である。
【０３７３】
モデル合成アップ画像を用いることにより、写真シール機１から管理サーバ３に送信された送信画像に写っている人物が小さい場合であっても、写りの状態を利用者に確認させやすくなる。送信画像に写る人物の顔の大きさを検知し、一定値以下（顔が小さい）である場合に、モデル合成アップ画像を表示するようにしてもよい。
【０３７４】
写りの選択画面に、写りの変更を指示するときに操作される写り変更ボタンを表示させるようにしてもよい。写り変更ボタンが操作された場合、携帯端末２から管理サーバ３に対して、そのことを表す情報が送信される。管理サーバ３においては、写り変更ボタンが操作されたことを表す情報が送信されてきたことに応じて、画面に表示させる画像の写りを変更するための処理が行われる。
【０３７５】
写り変更ボタンを操作して写り画像を選択することができるようにすることにより、利用者の趣向が変わった場合に、より簡単に利用者の希望する写り画像を提供することができる。
【０３７６】
画像管理サイトにアクセスしてきた利用者が携帯端末の機種変更を行ったことを検出した場合、機種変更後の携帯端末を利用している利用者に対して、希望する写りを再度選択させるようにしてもよい。携帯端末の機種変更を行ったか否かは、例えばユーザIDと携帯端末IDの対応関係に基づいて管理サーバ３の情報管理部５３１により判定される。
【０３７７】
画像管理サイトにアクセスしてきた利用者が携帯端末の機種を変更した場合であっても、変更後の携帯端末の機種に応じた画像を提供することができる。
【０３７８】
＜４．写真シール機の動作の詳細＞
ここで、図３５のフローチャートを参照して、写真シール機１の処理の詳細について説明する。
【０３７９】
ステップＳ５０１において、写真シール機１の制御部２０１は、所定の金額分の硬貨が投入されたか否かを硬貨処理部２２１から供給される信号に基づいて判定し、投入されたと判定するまで待機する。
【０３８０】
硬貨が投入されたとステップＳ５０１において判定した場合、ステップＳ５０２において、制御部２０１は、撮影部２０８を制御し、本撮影処理を行う。本撮影処理により、撮影空間Ａ１にいる利用者を被写体として撮影が行われる。本撮影処理については図３６のフローチャートを参照して後述する。
【０３８１】
ステップＳ５０３において、制御部２０１は被写体の画像処理を行う。被写体の画像処理により、本撮影処理によって得られた撮影画像の明るさの調整や、被写体の目のサイズの調整などの各種の処理が行われる。
【０３８２】
ステップＳ５０４において、制御部２０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０３８３】
ステップＳ５０５において、制御部２０１は、編集空間Ａ２−１と編集空間Ａ２−２のうち、撮影処理を終えた利用者の移動先とした方の編集空間のタブレット内蔵モニタ１３１に編集対象画像の選択画面を表示させ、利用者による選択を受け付ける。編集対象画像の選択画面には、本撮影処理によって得られた撮影画像が一覧表示される。
【０３８４】
ステップＳ５０６において、制御部２０１は、編集対象画像として選択された撮影画像を記憶部２０２に保存する。
【０３８５】
ステップＳ５０７において、制御部２０１は、撮影画像の画像処理を行う。撮影画像の画像処理は、編集対象画像として選択された撮影画像に合成する合成用画像を利用者に選択させ、選択された合成用画像を撮影画像に合成する処理である。
【０３８６】
制御部２０１は、編集対象画像として選択された撮影画像とともに合成用画像をタブレット内蔵モニタ１３１に表示し、利用者による選択を受け付ける。合成用画像が利用者により選択されたとき、制御部２０１は、撮影画像に合成用画像を合成し、得られた合成画像をタブレット内蔵モニタ１３１に表示させる。ステップＳ５０６の編集対象画像の選択と、ステップＳ５０７の撮影画像の画像処理のうちの少なくとも一方は、撮影部２０８により、撮影空間Ａ１にいる利用者を対象として行われるようにしてもよい。
【０３８７】
ステップＳ５０８において、制御部２０１は、編集部２０９Ａまたは編集部２０９Ｂを制御し、編集処理を行う。制御部２０１は、編集画面をタブレット内蔵モニタ１３１に表示させ、利用者による編集操作に従って、編集対象として選択された撮影画像の編集を行う。編集が終了したとき、制御部２０１は、印刷する画像の選択画面をタブレット内蔵モニタ１３１に表示させ、印刷する画像を利用者に選択させる。印刷する画像の選択画面には、撮影画像や編集済みの画像が表示され、その中から所定の枚数の画像が選択される。
【０３８８】
ステップＳ５０９において、制御部２０１は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０３８９】
ステップＳ５１０において、制御部２０１は、事後接客部２１０を制御し、事後接客処理を行う。例えば、撮影画像や編集済みの画像を携帯端末に送信する処理を事後接客処理として行う場合、制御部２０１は、携帯端末２のメールアドレスの入力画面や、携帯送信用画像の選択画面をタブレット内蔵モニタ１６１に表示させる。
【０３９０】
ステップＳ５１０において事後接客処理を行うことと並行して、ステップＳ５１１において、制御部２０１は印刷処理を行う。制御部２０１は、利用者により選択された画像をプリンタ２４１に出力してシール紙に印刷させる。
【０３９１】
印刷が終了したとき、ステップＳ５１２において、プリンタ２４１は、画像が印刷されたシール紙をシール紙排出口１６４に排出し、処理を終了させる。
【０３９２】
例えば、図１５のステップＳ１の処理は、図３５のステップＳ５０１〜Ｓ５０４の処理に対応し、図１５のステップＳ２の処理は、図３５のステップＳ５０５〜Ｓ５０９の処理に対応する。ステップＳ５０８の編集処理が終了したタイミングなどで、送信画像と画像IDが管理サーバ３に送信される。
【０３９３】
また、図１５のステップＳ３〜Ｓ６の処理は、図３５のステップＳ５１０の処理に対応し、図１５のステップＳ７の処理は、図３５のステップＳ５１１，５１２の処理に対応する。
【０３９４】
次に、図３６のフローチャートを参照して、図３５のステップＳ５０２において行われる本撮影処理について説明する。
【０３９５】
ステップＳ５２１において、制御部２０１は、写り選択画面をタッチパネルモニタ９３に表示させ、利用者による写り選択を受け付ける。写り選択は、色合いやシャープネス等の、撮影画像の画質の選択である。制御部２０１は、利用者により選択された写りに応じて、カメラ９１により撮影された画像の画質を調整する。
【０３９６】
ステップＳ５２２において、制御部２０１は、撮影案内画面をタッチパネルモニタ９３に表示させる。
【０３９７】
図３７は、撮影案内画面の例を示す図である。図３７の案内画面には撮影の開始を案内するメッセージが表示されている。撮影案内画面を表示した後、制御部２０１は、カメラ９１を制御し、画像の取り込みを開始させる。
【０３９８】
ステップＳ５２３において、制御部２０１は、モデル見本画像をタッチパネルモニタ９３に表示させる。
【０３９９】
図３８は、モデル見本画像の表示例を示す図である。タッチパネルモニタ９３の画像表示部６０１には、モデルの人の顔付近がアップで写るような画角の画像であるモデル見本画像が表示される。
【０４００】
ステップＳ５２４において、制御部２０１は、カメラ９１により取り込まれた動画像をタッチパネルモニタ９３に表示させる（ライブビュー表示を行う）。
【０４０１】
図３９は、ライブビュー表示の例を示す図である。タッチパネルモニタ９３の画像表示部６０１には、カメラ９１により取り込まれた動画像が表示され、その周りには、ポーズの取り方を案内するメッセージなどが表示されている。
【０４０２】
ステップＳ５２５において、制御部２０１は、タッチパネルモニタ９３にカウントダウンインジケータを表示し、撮影タイミングを利用者に通知する。撮影の直前、制御部２０１は、図４０に示すような、カメラ９１に目を向けることを案内するメッセージを画像表示部６０１に表示させる。
【０４０３】
撮影タイミングになったとき、ステップＳ５２６において、制御部２０１は、カメラ９１を制御して撮影を行い、静止画像である撮影画像を取得する。
【０４０４】
ステップＳ５２７において、制御部２０１は、撮影画像をタッチパネルモニタ９３に表示し、撮影結果を利用者に確認させる。
【０４０５】
図４１は、撮影結果の確認画面の例を示す図である。タッチパネルモニタ９３の画像表示部６０１には撮影画像が表示され、その周りに、撮影結果であることを案内するメッセージなどが表示される。
【０４０６】
ステップＳ５２８において、制御部２０１は、撮影を所定回数繰り返し行ったか否かを判定する。制御部２０１は、撮影を所定回数行っていないとステップＳ５２８において判定した場合、ステップＳ５２３に戻り、以上の処理を繰り返し行う。
【０４０７】
一方、撮影を６回などの所定の回数繰り返し行ったとステップＳ５２８において判定した場合、ステップＳ５２９において、制御部２０１は、携帯送信専用画像の撮影案内を含む、撮影用合成用画像の選択画面をタッチパネルモニタ９３に表示させる。
【０４０８】
携帯送信専用画像は、シール紙に印刷せずに、管理サーバ３に送信する専用の画像である。上述した携帯送信用画像が、編集などが適宜施された後、シール紙に印刷される通常の撮影画像の中から選択される画像であるのに対して、携帯送信専用画像は、編集は適宜施されるものの、利用者による選択なしに、管理サーバ３に自動的に送信される画像である。携帯送信専用画像の形状は、１６：９などの、縦方向の長さが横方向の長さに対して長い形状とされる。撮影範囲に収まる位置に立つことにより、利用者は、頭の上から膝下付近までが写る画像を携帯送信専用画像として撮影することができる。
【０４０９】
撮影用合成用画像は、カメラ９１により撮影した画像から抽出した被写体の背景として合成する画像である。携帯送信専用画像の撮影時、カメラ９１により取り込まれた動画像と、撮影用合成用画像とを合成した合成画像がライブビュー表示される。また、撮影時にカメラ９１により取り込まれた１枚の画像と撮影用合成用画像とを合成した合成画像が携帯送信専用画像として取得される。
【０４１０】
図４２は、撮影用合成用画像の選択画面の例を示す図である。
【０４１１】
撮影用合成用画像の選択画面には、「Are you ready?／次は全身が撮れる”コーデ撮影”だよ」のメッセージが表示される。撮影用合成用画像の選択画面には表示領域６１１および６１２が設けられており、それぞれの領域に撮影用合成用画像が表示される。
【０４１２】
図４２の例においては、それぞれ異なる柄の画像が５枚ずつ撮影用合成用画像として表示領域６１１および６１２に表示されている。なお、撮影用合成用画像の形状は、携帯送信専用画像の形状に合わせて、一般的な携帯電話機のモニタの形状と同じ縦長の形状になっている。写真シール機１の利用者は、図４２の選択画面に表示される撮影用合成用画像の中から好みの画像を選択する。
【０４１３】
撮影用合成用画像が選択された場合、ステップＳ５３０において、制御部２０１は、携帯送信専用画像のモデル見本画像をタッチパネルモニタ９３に表示させる。
【０４１４】
図４３は、携帯送信専用画像のモデル見本画像の表示例を示す図である。タッチパネルモニタ９３の画像表示部６２１には、モデルの人の頭の上から膝下付近までが写るような画角の画像がモデル見本画像として表示される。
【０４１５】
ステップＳ５３１において、制御部２０１は、利用者により選択された撮影用合成用画像を記憶部２０２から読み出す。
【０４１６】
ステップＳ５３２において、制御部２０１は、カメラ９１により取り込まれた動画像の各画像に撮影用合成用画像を合成し、合成結果をタッチパネルモニタ９３に表示させてライブビュー表示を行う。
【０４１７】
図４４は、ライブビュー表示の例を示す図である。タッチパネルモニタ９３の画像表示部６２１には、カメラ９１により取り込まれた動画像に写っている利用者の背景として、ステップＳ５３１で読み出された撮影用合成用画像が合成された合成画像が表示される。
画像表示部６２１の周りには、ポーズの取り方を案内するメッセージなどが表示されている。
【０４１８】
ステップＳ５３３において、制御部２０１は、タッチパネルモニタ９３にカウントダウンインジケータを表示し、撮影タイミングを利用者に通知する。撮影の直前、制御部２０１は、図４５に示すような、カメラ９１に目を向けることを案内するメッセージを画像表示部６２１に表示させる。
【０４１９】
撮影タイミングになったとき、ステップＳ５３４において、制御部２０１は、カメラ９１を制御して撮影を行い、静止画像である携帯送信専用画像を取得する。
【０４２０】
ステップＳ５３５において、制御部２０１は、携帯送信専用画像をタッチパネルモニタ９３に表示し、撮影結果を利用者に確認させる。
【０４２１】
図４６は、携帯送信専用画像の確認画面の例を示す図である。タッチパネルモニタ９３の画像表示部６２１には携帯送信専用画像が表示され、その周りには、撮影結果であることを案内するメッセージなどが表示される。
【０４２２】
なお、例えば６回の通常の撮影が終了した後、携帯送信専用画像の撮影を行う前に、ボーナス撮影を行うようにしてもよい。ボーナス撮影も、携帯送信専用画像の撮影と同様に、撮影用合成用画像を選択させ、カメラ９１により取り込んだ画像と撮影用合成用画像の合成画像をライブビュー表示するようにして行われる。ボーナス撮影により得られる合成画像は、縦横比が通常の撮影により得られる撮影画像と同じ画像であり、適宜編集を施した後、シール紙に印刷することが可能とされる。
【０４２３】
携帯送信専用画像の確認が行われた後、図３５のステップＳ５０２に戻り、それ以降の処理が行われる。被写体の画像処理などの各種の処理が行われ、ステップＳ５０８において編集処理が開始されたとき、編集部１２のタブレット内蔵モニタ１３１には編集画面が表示される。
【０４２４】
図４７は、編集画面の例を示す図である。
【０４２５】
編集画面は、基本的に同じ構成の画面が左右に対称に並べて配置されることによって構成される。例えば、タブレット内蔵モニタ１３１に対して左側に立っている利用者は、タッチペン１３２Ａを用いて編集画面の左半分において撮影画像の編集を行い、右側に立っている利用者は、左側に立っている利用者による編集と並行して、タッチペン１３２Ｂを用いて編集画面の右半分において撮影画像の編集を行うことになる。
【０４２６】
編集画面の左側の上方には画像選択部７１３Ｌが形成され、ここには、撮影処理後に編集対象として選択された６枚の撮影画像と１枚の携帯送信専用画像がそれぞれ縮小して表示される。画像選択部７１３Ｌから選択された撮影画像が、画像選択部７１３Ｌの下に形成された編集対象画像表示部７１１Ｌに拡大して表示される。
【０４２７】
図４７の例においては、画像選択部７１３Ｌに表示される画像のうち、左端の撮影画像が編集対象としてカーソルＣによって選択され、「落書き中」の文字が画像に重ねて表示されている。また、右端の携帯送信専用画像がカーソルＣ’によって選択され、「落書き中」の文字が画像に重ねて表示されている。画像選択部７１３ＬにおいてカーソルＣ’によって選択され、「落書き中」の文字が画像に重ねて表示されていることは、右端の携帯送信専用画像が編集画面の右側において編集対象とされており、それと同じ画像を左側において編集対象として選択できないことを表す。
【０４２８】
同様に、編集画面の右側の上方に画像選択部７１３Ｒが設けられ、画像選択部７１３Ｒには、画像選択部７１３Ｌに表示されている画像と同じ６枚の撮影画像と１枚の携帯送信専用画像が同じ並びで表示される。
【０４２９】
画像選択部７１３Ｒにおいては、画像選択部７１３Ｒに表示される画像のうち、右端の携帯送信専用画像が編集対象としてカーソルＣ’によって選択され、「落書き中」の文字が画像に重ねて表示されている。また、左端の撮影画像がカーソルＣによって選択され、「落書き中」の文字が画像に重ねて表示されている。画像選択部７１３ＲにおいてカーソルＣによって選択され、「落書き中」の文字が画像に重ねて表示されていることは、左端の撮影画像が編集画面の左側において編集対象とされており、それと同じ画像を右側において編集対象として選択できないことを表す。すなわち、編集画面においては、左右の一方の画面で編集対象として選択されている画像は、他方の画面で編集対象として選択不可となる。
【０４３０】
画像選択部７１３Ｒから編集対象として選択された携帯送信専用画像は、その縦方向を、編集対象画像表示部７１１Ｒの縦方向に合わせて表示される。携帯送信専用画像が編集対象として選択され、編集対象画像表示部７１１Ｒに表示された場合、編集対象画像表示部７１１Ｒ内の携帯送信専用画像の左側と右側には、それぞれ、斜線を付して示すように空き領域７１１Ｒ−１，７１１Ｒ−２が形成される。
【０４３１】
空き領域７１１Ｒ−１，７１１Ｒ−２に、携帯送信専用画像の編集専用の編集ツールの選択に用いられるボタンや、携帯送信の機能の説明などの各種のメッセージが表示されるようにしてもよい。
【０４３２】
編集対象画像表示部７１１Ｌの下にはコンテンツパレット７１２Ｌが表示される。コンテンツパレット７１２Ｌには手書き画像を入力するときに選択されるペンツール、スタンプ画像を入力するときに選択されるスタンプツールなどの各種の編集ツールのタブが表示されており、タブを選択することによって、編集ツールを切り替えることができるようになされている。利用者は、コンテンツパレット７１２Ｌから編集ツールを選択し、編集対象画像表示部７１１Ｌに表示されている編集対象の撮影画像に文字や絵柄などを入力することができる。
【０４３３】
編集対象画像表示部７１１Ｌの右側には、各種のボタンが表示されるボタン表示部７１４Ｌが表示される。図４７の例においては、撮影画像の編集を終了するときに操作される終了ボタン、編集対象画像表示部７１１Ｌに入力した画像を部分的に消去するときに用いられる消しゴムボタン、編集をはじめからやり直すときに操作されるボタン、１セット前に戻るときに操作されるボタン、編集の内容を一操作後の状態に戻すときに操作されるボタン、および、編集の内容を一操作前の状態に戻すときに操作されるボタンがボタン表示部７１４Ｌに表示されている。
【０４３４】
編集画面の右側には、左側に表示される編集対象画像表示部７１１Ｌ、コンテンツパレット７１２Ｌ、画像選択部７１３Ｌ、およびボタン表示部７１４Ｌに対応して、編集対象画像表示部７１１Ｒ、コンテンツパレット７１２Ｒ、画像選択部７１３Ｒ、およびボタン表示部７１４Ｒが表示される。編集画面の中央上方には、編集作業に割り当てられた制限時間の残り時間（図中のTime）と、BGMの選択に用いられるGUIが表示される。編集部２０９は、このような編集画面に対する編集操作を受け付け、編集を行う。
【０４３５】
このように、縦横比が通常の画像と異なる携帯送信専用画像を撮影することができるようにすることにより、携帯端末２のモニタのサイズに適した画像を提供することができる。また、携帯送信専用画像の編集を写真シール機１において行うことができるようにすることにより、携帯送信専用画像を管理サーバ３から取得した携帯端末上で編集する場合に較べて、編集を容易に行うことができる。携帯端末２のモニタのサイズが小さい場合、携帯送信専用画像の編集が難しくなる。
【０４３６】
携帯送信専用画像のみを編集画面の左右それぞれで編集させ、その後、左側で編集を行っていた利用者と右側で編集を行っていた利用者にそれぞれ、送信したい画像を選択させるようにしてもよい。各利用者が編集した携帯送信専用画像を、各利用者の携帯端末に送信できるようにすることにより、自分で編集した携帯送信専用画像をそれぞれの利用者が自分の携帯端末で見ることができる。
【０４３７】
＜５．写真シール機の他の構成例＞
図４８は、写真シール機１の外観の他の構成例を示す斜視図である。上述した構成と同じ構成には同じ符号を付してある。
【０４３８】
図４８に示すように、写真シール機１は、主に、撮影ユニット１１、編集部１２、および事中接客部３０１から構成される。編集部１２と事中接客部３０１が接した状態で設置され、撮影ユニット１１は、編集部１２と事中接客部３０１から離れた位置に設置される。
【０４３９】
撮影ユニット１１は、撮影部２１と背景部２２から構成される。撮影部２１と背景部２２は所定の距離だけ離れて設置され、撮影部２１と背景部２２の間に形成される撮影空間において撮影処理が行われる。
【０４４０】
撮影部２１は撮影処理を利用者に行わせる装置である。撮影部２１は、撮影空間に入り、撮影処理を行っている利用者の正面に位置する。撮影空間を正面に望む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【０４４１】
背景部２２は、正面を向いて撮影処理を行っている利用者の背面側に位置する板状の部材である背面パネル５１から構成される。背景部２２の上部には、背面パネル５１に支持される形で背景カーテンユニット２５が設けられる。背景カーテンユニット２５には、色または柄の異なる、背景に利用する巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【０４４２】
撮影部２１の左側面を構成する側面パネル４２Ａの上部と背景カーテンユニット２５は、板状の部材である連結部２３Ａによって連結される。また、撮影部２１の右側面を構成する側面パネル４２Ｂの上部と背景カーテンユニット２５は、板状の部材である連結部２３Ｂによって連結される。
【０４４３】
撮影部２１の側面パネル４２Ａ、連結部２３Ａ、および背景部２２の背面パネル５１に囲まれることによって形成される開口が撮影空間の出入り口Ｇ１となる。撮影部２１の側面パネル４２Ｂ、連結部２３Ｂ、および背景部２２の背面パネル５１に囲まれることによって形成される開口も撮影空間の出入り口Ｇ２となる。
【０４４４】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【０４４５】
正面パネル４１の背面側には、所定の距離だけ離れた位置に、正面パネル４１の背面に対して正面が向くように事中接客部３０１が設けられる。事中接客部３０１は、事中接客処理を利用者に行わせる装置である。事中接客処理として、上述した被写体の画像処理が行われる。図４８の写真シール機１の利用者は、撮影処理に含まれる本撮影処理と被写体の画像処理のうち、本撮影処理のみを撮影空間で行い、被写体の画像処理については、事中接客部３０１の正面前方に形成される事中接客空間で行うことになる。
【０４４６】
事中接客部３０１は、所定の厚さを有する板状の筐体を有しており、その背面が編集部１２の右側面に接するように編集部１２に連結して設けられる。事中接客部３０１の正面には、事中接客処理時に利用者により用いられるタブレット内蔵モニタが設けられる。
【０４４７】
事中接客部３０１の上方には連結レール３０２が取り付けられる。連結レールは３本のレール３０２Ａ乃至３０２Ｃを組み合わせて構成される。レール３０２Ａの一端は連結部２３Ａに固定され、他端は、レール３０２Ａの延長上にあるカーテンレール２６のレール２６Ａと接合される。レール３０２Ｂの一端は連結部２３Ｂに固定され、他端は、レール３０２Ｂの延長上にあるカーテンレール２６のレール２６Ｂと接合される。レール３０２Ｃの一端は、レール３０２Ａとレール２６Ａの接合部に接合され、他端は、レール３０２Ｂとレール２６Ｂの接合部に接合される。
【０４４８】
図４８に示す編集部１２の構成を正面側の構成とすると、レール３０２Ｃには、事中接客空間と編集部１２の正面側の編集空間とを仕切る仕切りカーテン３０３Ａ、および、事中接客空間と編集部１２の背面側の編集空間とを仕切る仕切りカーテン３０３Ｂが取り付けられる。仕切りカーテン３０３Ａと３０３Ｂは、事中接客部３０１の正面とほぼ平行に取り付けられる。
【０４４９】
事中接客空間と編集空間を仕切るカーテンが事中接客部３０１の正面とほぼ平行に取り付けられることにより、事中接客部３０１の正面に設けられるタブレット内蔵モニタ１６１などを用いて事中接客処理を終えた利用者は、その向きのまま、編集空間に移動することができる。また、仕切りカーテン３０３Ａと３０３Ｂを、各空間にいる利用者の足元が見える高さに取り付けることによって、編集空間への移動を容易に行わせることができる。仕切りカーテン３０３Ａと３０３Ｂの代わりに、事中接客空間と編集空間を仕切るパネルを設けてもよい。
【０４５０】
編集部１２は、撮影処理によって得られた画像を編集する処理である編集処理を利用者に行わせる装置である。編集部１２には、編集処理時に利用者により用いられるタブレット内蔵モニタなどの構成が設けられる。２組の利用者が同時に編集処理を行うことができるように、編集部１２の正面側と背面側には編集処理に用いられる構成がそれぞれ設けられる。
【０４５１】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図５０）が設けられる。
【０４５２】
編集部１２の上方にはカーテンレール２６が取り付けられる。カーテンレール２６は、上から見たときの形状がコの字状となるように３本のレール２６Ａ乃至２６Ｃを組み合わせて構成される。レール２６Ａの一端は、連結レールのレール３０２Ａと接合され、レール２６Ａの他端はレール２６Ｃの一端と接合される。レール２６Ｂの一端は、連結レールのレール３０２Ｂと接合され、レール２６Ｂの他端はレール２６Ｃの他端と接合される。
【０４５３】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う空間である編集空間となる。
【０４５４】
図４９は、カーテンを取り付けた状態の写真シール機１の外観を示す図である。
【０４５５】
図４９に示すように、撮影空間の出入り口Ｇ１には側面カーテン６３が取り付けられる。反対側の出入り口である出入り口Ｇ２にも図示せぬ側面カーテンが取り付けられる。撮影空間の出入り口Ｇ１およびＧ２に取り付けられる側面カーテンの少なくとも内側の色は黒色などの暗い色とされる。
【０４５６】
また、撮影空間の上方に形成される開口のうち、天井ストロボユニット２４を挟んで前方の部分は天井前方カーテン６１で覆われ、後方の部分は天井後方カーテン６２で覆われる。天井前方カーテン６１の少なくとも内側の色は黒色などの暗い色とされ、天井後方カーテン６２の少なくとも内側の色は白色などの明るい色とされる。
【０４５７】
事中接客空間の上方に設けられるレール３０２Ａにはカーテン３１１Ａが取り付けられ、レール３０２Ｂにはカーテン３１１Ｂが取り付けられる。編集空間の上方に設けられるレール２６Ａにはカーテン３１２Ａが取り付けられ、レール２６Ｂにはカーテン３１２Ｂが取り付けられる。
【０４５８】
図５０は、図４８の写真シール機１を別の角度から見た斜視図である。
【０４５９】
編集部１２の左側面７６には、撮影画像や編集済みの画像が印刷されたシール紙が排出されるシール紙排出口１６４が設けられる。編集部１２の左側面７６の前方の空間が、利用者がシール紙の印刷が終わるのを待つ印刷待ち空間となる。
【０４６０】
ここで、図４８の写真シール機１により提供される写真シール作成ゲームの流れと、それに伴う利用者の移動について図５１を参照して説明する。図５１は、写真シール機１を上から見た平面図である。
【０４６１】
写真シール機１の利用者は、白抜き矢印＃１１で示すように出入り口Ｇ１から、または白抜き矢印＃１２で示すように出入り口Ｇ２から、撮影部２１と背景部２２の間に形成された撮影空間Ａ１に入り、撮影部２１に設けられたカメラやタッチパネルモニタなど利用して撮影処理のうちの本撮影処理を行う。
【０４６２】
本撮影処理を終えた利用者は、白抜き矢印＃１３で示すように出入り口Ｇ１を使って撮影空間Ａ１から出て事中接客空間Ａ１１に移動するか、白抜き矢印＃１４で示すように出入り口Ｇ２を使って撮影空間Ａ１から出て事中接客空間Ａ１１に移動し、被写体の画像処理を行う。
【０４６３】
被写体の画像処理を終えた利用者は、白抜き矢印＃１５で示すように事中接客空間Ａ１１から出て編集空間Ａ２−１に移動するか、白抜き矢印＃１６で示すように事中接客空間Ａ１１から出て編集空間Ａ２−２に移動する。
【０４６４】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、事中接客部３０１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【０４６５】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃１７で示すように編集空間Ａ２−１から印刷待ち空間Ａ１２に移動して印刷が終わるのを待つ。また、編集処理を終えた利用者は、編集空間Ａ２−２で編集処理を行っていた場合には白抜き矢印＃１８で示すように編集空間Ａ２−２から印刷待ち空間Ａ１２に移動し、印刷待ち空間Ａ１２において印刷が終わるのを待つ。
【０４６６】
画像の印刷が終了したとき、利用者は、編集部１２の左側面７６に設けられたシール紙排出口１６４からシール紙を受け取り、一連の写真シール作成ゲームを終えることになる。
【０４６７】
このように、事中接客空間Ａ１１を設け、被写体の画像処理を、本撮影処理を行う撮影空間Ａ１とは別の空間である事中接客空間Ａ１１で行わせることにより、被写体の画像処理を利用者に集中して行わせることが可能になる。また、撮影空間Ａ１では本撮影処理のみを行わせることにより、本撮影処理にも利用者を集中させることが可能になる。
【０４６８】
本撮影処理と被写体の画像処理を撮影空間Ａ１で行わせ、編集対象画像の選択などの、撮影画像の編集前の処理を事中接客空間Ａ１１で行わせるようにしてもよい。
【０４６９】
次に、各装置の構成について説明する。撮影部２１の正面の構成は図６および図７に示す構成と同じである。また、背景部２２の撮影空間Ａ１側の構成は図８に示す構成と同じである。
【０４７０】
図５２は、編集部１２の正面側（編集空間Ａ２−１側）の構成例を示す図である。
【０４７１】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【０４７２】
タブレット内蔵モニタ１３１は、タッチペン１３２Ａまたは１３２Ｂを用いて操作入力が可能なタブレットがLCDなどのモニタに重畳して設けられることによって構成される。
タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【０４７３】
編集部１２の右側には事中接客部３０１が設けられる。
【０４７４】
図５３は、編集部１２の左側面の構成例を示す図である。
【０４７５】
編集部１２の左側面７６にはシール紙排出口１６４が設けられる。シール紙排出口１６４には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【０４７６】
編集空間Ａ２−２側の斜面７７には、斜面７２に設けられる図５２の構成と同じ構成が設けられる。
【０４７７】
図５４は、事中接客部３０１の正面の構成例を示す図である。
【０４７８】
事中接客部３０１の構成は、シール紙排出口１６４が設けられていない点を除いて事後接客部１３の構成と同じである。事中接客部３０１の上方中央にはタブレット内蔵モニタ１６１が設けられる。タブレット内蔵モニタ１６１を挟んで左側にタッチペン１６２Ａが設けられ、右側にタッチペン１６２Ｂが設けられる。タブレット内蔵モニタ１６１もタブレット内蔵モニタ１３１と同様に、タッチペン１６２Ａまたは１６２Ｂを用いて操作入力が可能なタブレットがLCDなどのモニタに重畳して設けられることによって構成される。
【０４７９】
タブレット内蔵モニタ１６１の下には非接触型ICリーダ／ライタ１６３が設けられ、非接触型ICリーダ／ライタ１６３の下方にはスピーカ１６５が設けられる。非接触型ICリーダ／ライタ１６３は、近接された非接触型ICと通信を行い、非接触型ICからのデータの読み出しや非接触型ICに対するデータの書き込みを行う。スピーカ１６５は、事中接客処理の案内音声、BGM、効果音等の音を出力する。
【０４８０】
図５５は、図４８の写真シール機１の内部の構成例を示すブロック図である。図１１を参照して説明した構成と同じ構成には同じ符号を付してある。重複する説明については適宜省略する。
【０４８１】
事中接客部３５１は、事中接客空間Ａ１１における事中接客処理を行う構成であるタブレット内蔵モニタ１６１、タッチペン１６２Ａ，１６２Ｂ、非接触型ICリーダ／ライタ１６３、およびスピーカ１６５から構成される。
【０４８２】
ここで、図５６のフローチャートを参照して、写真シール作成ゲームを提供する図４８の写真シール機１の処理について説明する。
【０４８３】
ステップＳ６０１において、写真シール機１の制御部２０１は、所定の金額分の硬貨が投入されたか否かを硬貨処理部２２１から供給される信号に基づいて判定し、投入されたと判定するまで待機する。
【０４８４】
硬貨が投入されたとステップＳ６０１において判定した場合、ステップＳ６０２において、制御部２０１は、撮影部２０８を制御し、本撮影処理を行う。図３６のフローチャートを参照して説明したように、本撮影処理により、撮影空間Ａ１にいる利用者を被写体として撮影が行われる。
【０４８５】
ステップＳ６０３において、制御部２０１は、撮影空間Ａ１にいる利用者に対して、事中接客空間Ａ１１への移動を案内する。事中接客空間Ａ１１への移動の案内は、撮影部２０８のタッチパネルモニタ９３に画面を表示させることによって、または音声をスピーカ２２４から出力させることによって行われる。
【０４８６】
ステップＳ６０４において、制御部２０１は、事中接客部３５１を制御し、事中接客空間Ａ１１にいる利用者による操作に応じて被写体の画像処理を行う。被写体の画像処理により、本撮影処理によって得られた撮影画像に写る利用者の目のサイズの選択と、撮影画像の明るさの選択が事中接客空間Ａ１１にいる利用者によって行われる。目のサイズの選択に用いられる選択画面と、撮影画像の明るさの調整に用いられる選択画面は事中接客部３０１のタブレット内蔵モニタ１６１に表示される。
【０４８７】
ステップＳ６０５において、制御部２０１は、タブレット内蔵モニタ１６１に編集対象画像の選択画面を表示させ、利用者による選択を受け付ける。この例においては、編集対象画像の選択と、撮影画像の画像処理（ステップＳ６０７）が事中接客空間Ａ１１において行われる。編集対象画像の選択画面には、本撮影処理によって得られた撮影画像が一覧表示される。
【０４８８】
ステップＳ６０６において、制御部２０１は、編集対象画像として選択された撮影画像を記憶部２０２に保存する。
【０４８９】
ステップＳ６０７において、制御部２０１は、撮影画像の画像処理を行う。撮影画像の画像処理は、編集対象画像として選択された撮影画像に合成する合成用画像を利用者に選択させ、選択された合成用画像を撮影画像に合成する処理である。
【０４９０】
制御部２０１は、編集対象画像として選択された撮影画像とともに合成用画像をタブレット内蔵モニタ１６１に表示し、利用者による選択を受け付ける。合成用画像が利用者により選択されたとき、制御部２０１は、撮影画像に合成用画像を合成し、得られた合成画像をタブレット内蔵モニタ１６１に表示させる。
【０４９１】
ステップＳ６０８において、制御部２０１は、事中接客空間Ａ１１にいる利用者に対して、編集空間Ａ２−１または編集空間Ａ２−２への移動を案内する。編集空間Ａ２−１または編集空間Ａ２−２への移動の案内は、事中接客部３５１のタブレット内蔵モニタ１６１に画面を表示させることによって、または音声をスピーカ１６５から出力させることによって行われる。
【０４９２】
ステップＳ６０９において、制御部２０１は、編集部２０９Ａまたは編集部２０９Ｂを制御し、編集処理を行う。制御部２０１は、編集画面をタブレット内蔵モニタ１３１に表示させ、利用者による編集操作に従って、編集対象として選択された撮影画像の編集を行う。編集が終了したとき、制御部２０１は、印刷する画像の選択画面をタブレット内蔵モニタ１３１に表示させ、印刷する画像を利用者に選択させる。印刷する画像の選択画面には、撮影画像や編集済みの画像が表示され、その中から所定の枚数の画像が選択される。
【０４９３】
ステップＳ６１０において、制御部２０１は、編集空間Ａ２−１または編集空間Ａ２−２で編集処理を終えた利用者に対して印刷待ち空間Ａ１２への移動を案内する。印刷待ち空間Ａ１２への移動の案内は、タブレット内蔵モニタ１３１に画面を表示させることによって、または音声をスピーカ２３１から出力させることによって行われる。印刷待ち空間Ａ１２への移動を案内する前、事後接客処理が編集空間Ａ２−１または編集空間Ａ２−２において行われるようにしてもよい。
【０４９４】
ステップＳ６１１において、制御部２０１は印刷処理を行う。制御部２０１は、利用者により選択された画像をプリンタ２４１に出力してシール紙に印刷させる。
【０４９５】
印刷が終了したとき、ステップＳ６１２において、プリンタ２４１は、画像が印刷されたシール紙をシール紙排出口１６４に排出し、処理を終了させる。
【０４９６】
なお、非接触型ICリーダ／ライタ１６３を、事中接客部３０１ではなく編集部１２に設けるようにしてもよい。また、図２の写真シール機１のように、図４８の写真シール機１にも図１０のような事後接客部１３を設けるようにしてもよい。
【０４９７】
本発明の実施の形態は、上述した実施の形態に限定されるものではなく、本発明の要旨を逸脱しない範囲において種々の変更が可能である。
【符号の説明】
【０４９８】
１  写真シール機，  ２  携帯端末，  ３  管理サーバ，  １１  撮影ユニット，  １２  編集部，  １３  事後接客部，  ２１  撮影部，  ２２  背景部，  ５３１  情報管理部，  ５３２  写り画像作成部
【要約】
【課題】携帯端末に応じた写りの画像を提供することができるようにする。
【解決手段】写真シール機１において利用者により選択された画像は、利用者により入力されたメールアドレスとともに管理サーバ３に送信され、管理サーバ３が有する記憶媒体に保存される。保存先を表すURLを含む電子メールが管理サーバ３から携帯端末２に送信され、利用者が携帯端末２を操作して電子メールに含まれるURLに対するアクセスを指示したとき、URLに基づいてアクセスが行われ、写真シール機１から管理サーバ３に送信しておいた画像が携帯端末２のモニタに表示される。携帯端末２の利用者は、写りが異なる複数の画像の中から好みの写りの画像を選択することができるようになされている。本発明は、写真シール機を含むシステムに適用することができる。
【選択図】図１【図１】
0005354129.tif 000002
【図２】
0005354129.tif 000003
【図３】
0005354129.tif 000004
【図４】
0005354129.tif 000005
【図５】
0005354129.tif 000006
【図６】
0005354129.tif 000007
【図７】
0005354129.tif 000008
【図８】
0005354129.tif 000009
【図９】
0005354129.tif 000010
【図１０】
0005354129.tif 000011
【図１１】
0005354129.tif 000012
【図１２】
0005354129.tif 000013
【図１３】
0005354129.tif 000014
【図１４】
0005354129.tif 000015
【図１５】
0005354129.tif 000016
【図１６】
0005354129.tif 000017
【図１７】
0005354129.tif 000018
【図１８】
0005354129.tif 000019
【図１９】
0005354129.tif 000020
【図２０】
0005354129.tif 000021
【図２１】
0005354129.tif 000022
【図２２】
0005354129.tif 000023
【図２３】
0005354129.tif 000024
【図２４】
0005354129.tif 000025
【図２５】
0005354129.tif 000026
【図２６】
0005354129.tif 000027
【図２７】
0005354129.tif 000028
【図２８】
0005354129.tif 000029
【図２９】
0005354129.tif 000030
【図３０】
0005354129.tif 000031
【図３１】
0005354129.tif 000032
【図３２】
0005354129.tif 000033
【図３３】
0005354129.tif 000034
【図３４】
0005354129.tif 000035
【図３５】
0005354129.tif 000036
【図３６】
0005354129.tif 000037
【図３７】
0005354129.tif 000038
【図３８】
0005354129.tif 000039
【図３９】
0005354129.tif 000040
【図４０】
0005354129.tif 000041
【図４１】
0005354129.tif 000042
【図４２】
0005354129.tif 000043
【図４３】
0005354129.tif 000044
【図４４】
0005354129.tif 000045
【図４５】
0005354129.tif 000046
【図４６】
0005354129.tif 000047
【図４７】
0005354129.tif 000048
【図４８】
0005354129.tif 000049
【図４９】
0005354129.tif 000050
【図５０】
0005354129.tif 000051
【図５１】
0005354129.tif 000052
【図５２】
0005354129.tif 000053
【図５３】
0005354129.tif 000054
【図５４】
0005354129.tif 000055
【図５５】
0005354129.tif 000056
【図５６】
0005354129.tif 000057